(57)【要約】本発明は、医療スタッフの業務を改善することを課題とする。患者状態判定装置は、患者に対して測定すべき複数の項目を、順次、医療スタッフに指示する指示部と、指示された項目に対する、医療スタッフからの反応を認識して、認識結果を出力する反応認識部と、認識結果に基づいて指示された項目に対する点数を判定し、判定した点数を出力する点数判定部と、を備える。指示部は、複数の項目の各々を、この項目に関連付けられた少なくとも１つの質問の形式で、医療スタッフに提示する。
2019111618.tif 000002
【特許請求の範囲】
【請求項１】
患者に対して測定すべき複数の項目を、順次、医療スタッフに指示する指示部と、
指示された項目に対する、前記医療スタッフからの反応を認識して、認識結果を出力する反応認識部と、
前記認識結果に基づいて前記指示された項目に対する点数を判定し、判定した点数を出力する点数判定部と、を備え、
前記指示部は、前記複数の項目の各々を、該項目に関連付けられた少なくとも１つの質問の形式で、前記医療スタッフに提示する、ことを特徴とする患者状態判定装置。
【請求項２】
前記指示部は、前記指示された項目に対応する前記質問の各々を音声にて前記医療スタッフに知らせる音声通知手段を含むことを特徴とする請求項１に記載の患者状態判定装置。
【請求項３】
前記反応認識部は、前記反応として前記医療スタッフから発声された回答音声を受け、該回答音声を識別して、識別結果を前記認識結果として出力する音声識別手段を含むことを特徴とする請求項１又は２に記載の患者状態判定装置。
【請求項４】
前記医療スタッフに対して各項目の指示を開始した開始時刻からの経過時間を測定する時間測定部を更に有する、請求項１乃至３のいずれか１つに記載の患者状態判定装置。
【請求項５】
前記複数の項目には、それぞれ、許容時間が予め設定されており、
前記経過時間が前記許容時間を超過した時点で、前記医療スタッフから前記反応が得られなかった場合、前記点数判定部は、前記時点での質問に対してする反応として高い方の点数を、前記判定した点数として選択し出力する、請求項４に記載の患者状態判定装置。
【請求項６】
前記判定した点数と前記経過時間とを、前記指示された項目に紐付けて、記録情報として記録する点数・時間記録部を更に有する、請求項４に記載の患者状態判定装置。
【請求項７】
少なくとも前回を含む過去の測定において、前記点数・時間記録部に記録された前記記録情報に基づいて、前記指示部は、今回の測定で前記医療スタッフへ指示すべき通知内容を変更する、請求項６に記載の患者状態判定装置。
【請求項８】
前記変更される通知内容は、前記指示された項目に対して設定された許容時間を含む、請求項７に記載の患者状態判定装置。
【請求項９】
前記患者の測定状態を記録する測定状態記録部を更に有する、請求項６に記載の患者状態判定装置。
【請求項１０】
少なくとも前回を含む過去の測定において、前記点数・時間記録部に記録された前記記録情報と前記測定状態記録部に記録された前記測定状態とに基づいて、前記指示部は、今回の測定で前記医療スタッフへ指示すべき通知内容を変更する、請求項９に記載の患者状態判定装置。
【請求項１１】
前記変更される通知内容は、前記指示された項目に対して設定された許容時間を含む、請求項１０に記載の患者状態判定装置。
【請求項１２】
前記複数の項目には、それぞれ、許容時間が予め設定されており、
前記経過時間が前記許容時間を超過した時点で、前記医療スタッフから前記反応が得られなかった場合、複数の類似事例を予め保存している類似事例データベースから、前記患者の状態に類似している１つの類似事例を抽出して、抽出した類似事例を前記医療スタッフへ提示する類似事例抽出部を更に備える、請求項４に記載の患者状態判定装置。
【請求項１３】
前記複数の項目の中の特定の項目に対して複数の質問が存在する場合、
前記指示部は、
前記特定の項目に対する前記複数の質問の最初の方として、前記医療スタッフが前記患者の状態を判断するのが容易な質問を指示し、
前記特定の項目に対する前記複数の質問の最後として、前記医療スタッフが前記患者の状態を判断するのが困難な質問を指示する、
請求項１乃至１２のいずれか１つに記載の患者状態判定装置。
【請求項１４】
前記複数の項目は、ＮＩＨＳＳ（National Institute of Health Stroke Scale）で規定されている項目から成る、請求項１乃至１３のいずれか１つに記載の患者状態判定装置。
【請求項１５】
請求項１乃至１４のいずれか１つに記載の患者状態判定装置と、
該患者状態判定装置から前記判定した点数を受けて、前記点数を集計する集計装置と、
を含む患者状態判定システム。
【請求項１６】
指示部が、患者に対して測定すべき複数の項目を、順次、医療スタッフに指示し、
反応認識部が、指示された項目に対する、前記医療スタッフからの反応を認識して、認識結果を出力し、
点数判定部が、前記認識結果に基づいて前記指示された項目に対する点数を判定し、判定した点数を出力し、
前記指示部は、前記複数の項目の各々を、該項目に関連付けられた少なくとも１つの質問の形式で、前記医療スタッフに提示する、ことを特徴とする患者状態判定方法。
【請求項１７】
患者に対して測定すべき複数の項目を、順次、医療スタッフに指示する指示手順と、
指示された項目に対する、前記医療スタッフからの反応を認識して、認識結果を出力する反応認識手順と、
前記認識結果に基づいて前記指示された項目に対する点数を判定し、判定した点数を出力する点数判定手順と、
をコンピュータに実行させる患者状態判定プログラムを記録した記録媒体であって、
前記指示手順は、前記コンピュータに、前記複数の項目の各々を、該項目に関連付けられた少なくとも１つの質問の形式で、前記医療スタッフに提示させる、患者状態判定プログラムを記録した記録媒体。
【発明の詳細な説明】
【技術分野】
【０００１】
本発明は、患者状態判定装置、患者状態判定システム、患者状態判定方法、および患者状態判定プログラム記録媒体に関する。
【背景技術】
【０００２】
病院（特に、救急病院）においては、医師や看護師などの医療関係者（以下、「医療スタッフ」と呼ぶ）が、救急車等によって救急搬送されて来た患者の状態を測定（判定）することが必要となる事態がしばしば発生する。救急搬送されて来た患者には、脳血管障害などの疑いがあることが推測される。そのような状況においては、医療スタッフは、リアルタイムで、その患者の状態（例えば、麻痺、失調など）を把握することが必要になる。【０００３】
そのような脳血管障害の疑いのある患者の状態を測定（判定）する測定手法は、この技術分野において知られている。その測定手法の１つとして、ＮＩＨＳＳ（National Institute of Health Stroke Scale）がある。このＮＩＨＳＳでは、患者の来院時、治療前および治療時に、担当の医療スタッフは、最短で１５分の測定周期ごとに、当該患者の状態を測定（判定）することが必要となる。何故なら、患者の状態は、患者の治療方針に関わるからである。ＮＩＨＳＳには、測定（判定）すべき項目として１３項目があることが知られている。したがって、医療スタッフは、ＮＩＨＳＳの各項目について点数を選択するという作業（業務）を、上記測定周期毎に測定時間（判定時間）内で行うことが必要となる。尚、各項目の点数を合計すると４２点になる。また、その測定時間（判定時間）は、上記測定周期に比較してなるべく短いことが望ましく、例えば、３分であることが好ましい。【０００４】
本発明に関連する技術が、種々提案されている。【０００５】
たとえば、特許文献１は、一人以上の被験者（患者）を、一人以上の被験者（患者）と関連付けられる健康状態を示す１つ以上のカテゴリに分類するシステムを開示している。特許文献１では、健康状態スコアは、ＮＩＨＳＳスコアなどの脳卒中スコアに対応してよいことを記載している。特許文献１では、ＮＩＨＳＳスコアを４つのカテゴリに分類し、それにより、医師が、脳卒中の重症度を、被験者が分類されているカテゴリに基づいて、判定する例を記載している。【０００６】
特許文献２は、患者の診断を遠隔地にいる医師等が行う遠隔地医療システムを開示している。特許文献２では、遠隔地医療システムの一例として、医療現場にて電子聴診器を用いて患者（被測定者）の生体音を測定するためのシステムであって、取得された電子データすなわち生体音情報を記録するためのシステムを記載している。このような遠隔地医療システムでは、医療現場から遠隔にいる医師等の診断者が、上記生体音情報を閲覧して、患者の診断に利用することが可能となる。特許文献２に開示された測定支援装置においては、表示部に、測定者の測定活動を支援する情報（測定シナリオ）を表示したり、操作画面をＧＵＩ（Graphical User Interface）画面として表示している。特許文献２では、測定シナリオの内容を反映した測定支援画面の一例を示している。測定支援画面には、測定シナリオに含まれる聴診手順が表示される出力領域と、聴診領域可視化情報が表示される出力領域とがある。測定者は、画像データを確認し、測定支援画面にしたがって聴診を開始する。患者の生体音を取得し終えると、測定者は、ボタンをタップする。
【先行技術文献】
【特許文献】
【０００７】
【特許文献１】特開２０１６−１５７４３０号公報
【特許文献２】特開２０１４−０２３７１５号公報
【発明の概要】
【発明が解決しようとする課題】
【０００８】
上述したＮＩＨＳＳにおいて、医療スタッフ（特に、未熟で経験の浅い医療スタッフ）は、各項目の点数の選択の判断に迷う場合がある。その結果、ＮＩＨＳＳの測定（判定）に時間がかかる恐れがある。そこで、このような医療スタッフにおける測定（判定）の判断困惑の問題を解決したり、測定時間（判定時間）を短縮することが望まれている。【０００９】
しかしながら、上述した特許文献１〜２では、このような課題を解決できない。【００１０】
すなわち、特許文献１は、単に、ＮＩＨＳＳスコアの範囲を、複数のカテゴリに分類する技術的思想を開示しているだけである。したがって、特許文献１においては、医療スタッフは、相変らず、上記ＮＩＨＳＳの各項目について点数を選択するという作業（業務）をしなければならず、測定（判定）の判断困惑や測定時間（判定時間）の課題を解決することはできない。【００１１】
一方、特許文献２は、患者に対して測定者が測定（聴診）を行い、遠隔の医師が聴診結果を利用して診断を行う遠隔測定システムを開示しているに過ぎない。このような遠隔測定システムでは、測定者は、測定シナリオに従って、電子聴診器等の測定器具を使用して、患者に対して適切な測定をしているだけである。上述したように、ＮＩＨＳＳでは、測定するだけなく、各項目について点数を選択しなければならない。よって、特許文献２の遠隔測定システムであっても、測定者である医療スタッフは、相変らず、点数の選択の判断に迷ってしまうことになる。よって、特許文献２においても、測定（判定）の判断困惑や測定時間（判定時間）の課題を解決することはできない。【００１２】
本発明の目的は、上述の課題を解決し、医療スタッフの業務を改善できる患者状態判定装置、患者状態判定システム、患者状態判定方法、および患者状態判定プログラム記録媒体を提供することにある。
【課題を解決するための手段】
【００１３】
本発明の患者状態判定装置は、患者に対して測定すべき複数の項目を、順次、医療スタッフに指示する指示部と；指示された項目に対する、前記医療スタッフからの反応を認識して、認識結果を出力する反応認識部と；前記認識結果に基づいて前記指示された項目に対する点数を判定し、判定した点数を出力する点数判定部と；を備え、前記指示部は、前記複数の項目の各々を、該項目に関連付けられた少なくとも１つの質問の形式で、前記医療スタッフに提示する、ことを特徴とする。【００１４】
本発明の患者状態判定システムは、上記患者状態判定装置と、該患者状態判定装置から前記判定した点数を受けて、前記点数を集計する集計装置と、を含む。【００１５】
本発明の患者状態判定方法は、指示部が、患者に対して測定すべき複数の項目を、順次、医療スタッフに指示し；反応認識部が、指示された項目に対する、前記医療スタッフからの反応を認識して、認識結果を出力し；点数判定部が、前記認識結果に基づいて前記指示された項目に対する点数を判定し、判定した点数を出力し；前記指示部は、前記複数の項目の各々を、該項目に関連付けられた少なくとも１つの質問の形式で、前記医療スタッフに提示する、ことを特徴とする。【００１６】
本発明の患者状態判定プログラム記録媒体は、患者に対して測定すべき複数の項目を、順次、医療スタッフに指示する指示手順と；指示された項目に対する、前記医療スタッフからの反応を認識して、認識結果を出力する反応認識手順と；前記認識結果に基づいて前記指示された項目に対する点数を判定し、判定した点数を出力する点数判定手順と；をコンピュータに実行させる患者状態判定プログラムを記録した記録媒体であって、前記指示手順は、前記コンピュータに、前記複数の項目の各々を、該項目に関連付けられた少なくとも１つの質問の形式で、前記医療スタッフに提示させる。
【発明の効果】
【００１７】
本発明によれば、医療スタッフの業務を改善することができる。
【図面の簡単な説明】
【００１８】
【図１】本発明の第１の実施形態に係る患者状態判定システムの構成を示すブロック図である。
【図２】図１に示した患者状態判定装置の動作の流れを示すフローチャートである。
【図３】本発明の第２の実施形態に係る患者状態判定システムの構成を示すブロック図である。
【図４】本発明の第３の実施形態に係る患者状態判定システムの構成を示すブロック図である。
【図５】図４に示した患者状態判定装置の動作の流れを示すフローチャートである。
【図６】図４に示した患者状態判定装置において、測定開始前に、フィードバックして指示部で指示すべき通知内容を変更する動作を説明するフローチャートである。
【図７】本発明の第４の実施形態に係る患者状態判定システムの構成を示すブロック図である。
【図８】図７に示した患者状態判定装置の動作の流れを示すフローチャートである。
【図９】ＮＩＨＳＳの１３項目を示す図である。
【図１０】「１ａ．意識水準」の項目に対して、指示部から指示される、ガイダンスおよび質問を示すフローチャートである。
【図１１】「１ｂ．意識障害−質問」の項目に対して、指示部から指示される、ガイダンスおよび質問を示すフローチャートである。
【図１２】「１ｃ．意識障害−従命」の項目に対して、指示部から指示される、ガイダンスおよび質問を示すフローチャートである。
【図１３】「２．最良の注視」の項目に対して、指示部から指示される、ガイダンスおよび質問を示すフローチャートである。
【図１４】「３．視野」の項目に対して、指示部から指示される、ガイダンスおよび質問と、タッチパネル付き表示装置の表示画面上の表示例とを示すフローチャートである。
【図１５】「４．顔面麻痺」の項目に対して、指示部から指示される、ガイダンスおよび質問を示すフローチャートである。
【図１６】「５．上肢の運動」の項目に対して、指示部から指示される、ガイダンスおよび質問を示すフローチャートである。
【図１７】「６．下肢の運動」の項目に対して、指示部から指示される、ガイダンスおよび質問を示すフローチャートである。
【図１８】「７．運動失調」の項目に対して、指示部から指示される、ガイダンスおよび質問と、タッチパネル付き表示装置の表示画面上の表示例とを示すフローチャートである。
【図１９】「８．感覚」の項目に対して、指示部から指示される、ガイダンスおよび質問を示すフローチャートである。
【図２０】「９．最良の言語」の項目に対して、指示部から指示される、ガイダンスおよび質問を示すフローチャートである。
【図２１】「１０．講音障害」の項目に対して、指示部から指示される、ガイダンスおよび質問を示すフローチャートである。
【図２２】「１１．消去現象と注意障害」の項目に対して、指示部から指示される、ガイダンスおよび質問を示すフローチャートである。
【発明を実施するための形態】
【００１９】
以下、図面を参照しながら、本発明の実施形態について詳細に説明する。なお、各図において、同一または相当する部分には同一の符号を付して、重複部分については適宜説明を省略する。
【００２０】
［第１の実施形態］
図１は、本発明の第１の実施形態に係る患者状態判定システムの構成を示すブロック図である。図１に示すように、患者状態判定システムは、患者状態判定装置１００と、集計装置２００とを備える。患者状態判定装置１００と集計装置２００とは同じ装置上にあってもよい。
【００２１】
本第１の実施形態では、次の場合を想定している。図示の患者状態判定システムでは、看護師や医師などの医療スタッフが、測定周期毎にリアルタイムで患者の状態を測定（判定）する場合を想定している。この場合において、患者は、例えば、救急車等で救急搬送されて来た患者であってよい。このような患者では、脳血管障害などの障害の疑いがある。測定周期は、例えば、最短で１５分である。また、患者の状態とは、例えば、麻痺や失調などである。測定周期毎に、医療スタッフは、測定時間（判定時間）内に患者の状態を複数の項目の各々について点数を選択する作業を行う必要がある。複数の項目は、上記ＮＩＨＳＳで規定された１３の項目であってよい。ＮＩＨＳＳで規定された１３の項目については、後で図面を参照して詳述する。測定時間（判定時間）は、上記測定周期に比較してなるべく短いことが望ましく、例えば、３分であることが好ましい。
【００２２】
患者状態判定装置１００は、医療現場で、患者の状態を自動的にリアルタイムで判定できる装置である。尚、患者には患者ＩＤ（identifier）が割り当てられているとする。また、医療スタッフには、スタッフＩＤ（ユーザＩＤ）が割り当てられてもよい。
【００２３】
患者状態判定装置１００は、データを処理するデータ処理装置１１０と、後述するプログラムやデータを記憶する記憶装置１２０と、データを入力する入力装置１３０と、データを出力する出力装置１４０と、通信インターフェース１５０とを備える。このような患者状態判定装置１００は、例えば、タブレットＰＣ（personal computer）で実現されてよい。
【００２４】
出力装置１４０は、ＬＣＤ（Liquid Crystal Display）やＰＤＰ（Plasma Display Panel）などの表示装置やプリンタ、受話器からなる。受話器は、イヤホンやヘッドホンであってよい。出力装置１４０は、後述するような、各項目に関連付けられた複数の質問や操作メニューなどの各種情報を表示装置の画面上に表示したり、複数の質問の各々を受話器から音声で知らせたり、最終結果をプリンタに印字する機能を有する。
【００２５】
記憶装置１２０は、各種のデータを保持できる記憶媒体である。例えば、記憶装置１２０は、ＨＤＤ（Hard Disk Drive）やＳＳＤ（Solid State Drive）などの記憶媒体や、ＲＯＭ（read only memory）やＲＡＭ（random access memory）などのメモリからなる。記憶装置１２０は、データ処理装置１１０における各種処理に必要な処理情報（後述する）やプログラム１２２を記憶する機能を有する。
【００２６】
データ処理装置１１０は、ＭＰＵ（micro processing unit）などのマイクロプロセッサやＣＰＵ（central processing unit）からなる。データ処理装置１１０は、記憶装置１２０からプログラム１２２を読み込んで、プログラム１２２に従ってデータを処理する各種処理部を実現する機能を有する。
【００２７】
入力装置１３０は、例えば、キーボード、マウス、タッチパネルや、マイクロホンからなる。また、入力装置１３０は、患者の状態を測定するための各種センサを備えてもよい。そのようなセンサは、例えば、患者に取り付けられる腕時計型センサやバイタルセンサ、患者の状態を撮像するカメラであってよい。なお、本実施形態においては、入力装置１３０がタッチパネルを含み、出力装置１４０が表示装置を含む場合、それらは一体に形成されて、タッチパネル付き表示装置として構成されてよい。
【００２８】
通信インターフェース１５０は、有線又は無線等を介して、当該患者状態判定装置１００と後述する集計装置２００との間を接続するインターフェースである。通信インターフェース１５０は、例えば、送信機やトランシーバ、又はコネクタで実現される。通信インターフェース１５０が送信機からなる場合、送信機は、データ処理装置１１０での処理結果（具体的には、後述する判定した点数）で搬送波を変調し、変調した波を送信波として無線で集計装置２００へ送信する。通信インターフェース１５０がコネクタからなる場合、図示しない記録媒体を用いてもよい。この場合、上記処理結果（判定した点数）は、患者ＩＤを付加した状態で、コネクタを介して記録媒体に記録情報として書き込まれる。
【００２９】
なお、医療スタッフは、患者の状態を測定（判定）する際に、当該患者に対して処置を施すことが必要となる場合がある。したがって、上記受話器および上記マイクロホンの組み合わせとして、マイク付きイヤホンやマイク付きヘッドホンを用いることが好ましい。或いは、患者状態判定装置１００は、その患者を搭載している搬送台（ベッド）に据え置かれてもよい。
【００３０】
尚、本実施形態では、医療スタッフに対する指示や医療スタッフの反応として、音声と画像（テキストデータ）との両方を用いている。したがって、入力装置１３０と出力装置１４０との組み合わせとして、マイク付きイヤホンとタッチパネル付き表示装置とを備えている。しかしながら、本発明は、医療スタッフに対する指示や医療スタッフの反応として、画像（テキストデータ）のみを用いてもよい。
【００３１】
記憶装置１２０は、項目記憶部１２４を備える。この項目記憶部１２４には、上記測定時間（判定時間）に、患者の状態を測定するために必要な複数の項目を、各項目に関連付けられた複数の質問の形式で、順序に従って予め記憶されている。本実施形態では、項目記憶部１２４は、複数の質問を、音声データおよびテキストデータとして、格納している。また、複数の項目には、それぞれ、許容時間が予め設定されている。これら許容時間は、均一であっても異なってもよい。本実施形態では、許容時間は均一である。項目記憶部１２４には、許容時間も、項目毎に紐付けて記憶されている。
【００３２】
このような音声データやテキストデータは、例えば、所定のデータベースから読み出して、上記測定時間（判定時間）の開始時刻直前において、必要な情報のみを項目記憶部１２４に予め記憶させてよい。その代わりに、患者状態判定装置１００がその患者の搬送台（ベッド）に据え置かれている場合には、次のようにしてもよい。まず、図示しないコントロールセンタから、上記測定時間（判定時間）の開始時刻直前に、所定のデータベースからその患者用に必要な複数の項目（音声データやテキストデータ）を読出して、患者状態判定装置１００へ送信する。患者状態判定装置１００は、その送信された必要な複数の項目を受信するための受信機（図示せず）を備え、その受信した必要な複数の項目を項目記憶部１２４へ格納してもよい。なお、本例の場合、必要な複数の項目は、上記ＮＩＨＳＳで規定された１３の項目であるので、予め決まっている。したがって、その代わりに、項目記憶部１２４を用いずに、患者状態判定装置１００は、受信機で受信した必要な複数の項目を、直接、データ処理装置１１０の指示部１１１（後述する）へ供給してもよい。
【００３３】
データ処理装置１１０は、主な処理部として、指示部１１１と、反応認識部１１２と、点数判定部１１３と、時間測定部１１４と、制御部１１８とを備えている。
【００３４】
指示部１１１は、患者に対して測定すべき複数の項目を、順次、医療スタッフに指示する。反応認識部１１２は、指示された項目に対する、医療スタッフからの反応を認識して、認識結果を出力する。点数判定部１１３は、認識結果に基づいて指示された項目に対する点数を判定し、判定した点数を出力する。指示部１１１は、複数の項目の各々を、その項目に関連付けられた少なくとも１つの質問の形式で、医療スタッフに提示する。このとき、指示部１１１は、項目毎に上記許容時間を医療スタッフに提示してもよい。時間測定部１１４は、医療スタッフに対して各項目の指示を開始した開始時刻からの経過時間を測定する。制御部１１８は、データ処理装置１１０全体の動作を制御する。以下、各処理部の動作について、更に、詳細に説明する。
【００３５】
指示部１１１は、項目記憶部１２４から読み出された音声データを、出力装置１４０のマイク付きイヤホンへ送出する。マイク付きイヤホンのイヤホンは、音声データを質問音声に変換する。したがって、指示部１１１と出力装置１４０のイヤホンとの組み合わせは、複数の項目を、順次、質問音声にて医療スタッフに知らせる音声通知手段として働く。また、項目記憶部１２４と指示部１１１と出力装置１４０のイヤホンとの組み合わせは、患者の状態を測定するために必要な複数の項目を順次、音声によって医療スタッフに提示する提示部として作用する。
【００３６】
と同時に、指示部１１１は、項目記憶部１２４から読み出されたテキストデータを、出力装置１４０のタッチパネル付き表示装置へ送出する。タッチパネル付き表示装置は、テキストデータをその表示画面上に表示する。したがって、指示部１１１と出力装置１４０のタッチパネル付き表示装置との組み合わせは、複数の項目を、順次、質問テキストデータとして医療スタッフに知らせるテキスト通知手段としても働く。よって、項目記憶部１２４と指示部１１１と出力装置１４０のタッチパネル付き表示装置との組み合わせは、患者の状態を測定するために必要な複数の項目を順次、画像（テキストデータ）によって医療スタッフに提示する提示部として作用する。
【００３７】
出力装置１４０のマイク付きイヤホンのイヤホンから発生された質問音声に応答して、医療スタッフは、それに対する回答（応答）を入力装置１３０のマイク付きイヤホンのマイクロホンに向けて発声する。例えば、イヤホンから質問音声として「反応はありますか？」と流れたとする。この場合、医療スタッフは、例えば、マイクロホンに向けて「はい」と音声で回答（応答）する。マイクロホンは、この「はい」の回答音声を電気信号である回答音声信号の入力値に変換する。したがって、マイク付きイヤホンのマイクロホンは、指示された項目に応答して医療スタッフが発声する回答音声を入力して、入力値（回答音声信号）を出力する入力部として働く。
【００３８】
と同時に、出力装置１４０のタッチパネル付き表示装置に表示された質問テキストデータに応答して、医療スタッフは、それに対する回答（応答）を、入力装置１３０であるタッチパネル付き表示装置のタッチパネルを操作して入力する。ここでは、タッチパネル付きタッチパネルには、「Ｙｅｓ」および「Ｎｏ」のアイコンが表示されているとする。例えば、タッチパネル付き表示装置に表示された質問テキストデータが「反応はありますか？」であったとする。この場合、医療スタッフは、例えば、タッチパネルの「Ｙｅｓ」のアイコンをタッチして回答（応答）する。タッチパネルは、この「Ｙｅｓ」の回答を示す回答テキスト信号を出力する。したがって、タッチパネル付き表示装置のタッチパネルは、指示された項目に応答して、医療スタッフが回答テキスト信号を入力する入力部として働く。
【００３９】
このように、本実施形態では、医療スタッフからの反応として、音声と画像（テキストデータ）との両方を利用している。しかしながら、周囲が騒がしい場合等には、質問に対する反応としては、画像（テキストデータ）のみしか利用できない場合が存在する。その場合には、当然、医療スタッフからの反応として画像（テキストデータ）のみを利用することになる。
【００４０】
入力装置１３０から、反応として医療スタッフから発声された回答音声信号が、反応認識部１１２に供給されたとする。反応認識部１１２は、音声認識部（図示せず）を含む。音声認識部は、回答音声信号を識別して、識別結果を上記認識結果として出力する。例えば、回答音声信号が「はい」を示す音声信号であったとする。この場合、反応認識部１１２の音声認識部は、認識結果（識別結果）として「Ｙｅｓ」の結果を出力する。
【００４１】
一方、入力装置１３０から、反応として医療スタッフで操作（タッチ）された回答信号が、反応認識部１１２に供給されたとする。この場合、反応認識部１１２は、その回答テキスト信号を認識して、認識結果を出力する。例えば、回答テキスト信号が「Ｙｅｓ」を示すテキスト信号であったとする。この場合、反応認識部１１２は、認識結果として「Ｙｅｓ」の結果を出力する。
【００４２】
この認識結果は点数判定部１１３に供給される。点数判定部１１３は、認識結果に基づいて、指示された項目に対する点数を判定する。例えば、指示された項目が「意識レベル」であったとする。この場合、指示部１１から、出力装置１４０を介して医療スタッフへ、患者に対する処置の指示（ガイダンス）とともに「反応はありますか？」の指示がなされる。点数判定部１１３には、「反応はありますか？」の指示に対応して、反応認識部１１２から「Ｙｅｓ」または「Ｎｏ」の認識結果が供給される。点数判定部１１３は、「Ｙｅｓ」または「Ｎｏ」の認識結果に基づいて、「意識レベル」の項目に対する点数（この場合、０点から３点までの間の点数）を判定する。
【００４３】
集計装置２００は、データを処理するデータ処理装置２１０と、プログラムや後述するデータを記憶する記憶装置２２０と、通信インターフェース２３０とを備える。データ処理装置２１０は、集計部２１２を含む。
【００４４】
通信インターフェース２３０は、有線や無線等を介して、当該集計装置２００と前述した患者状態判定装置１００との間を接続するインターフェースである。通信インターフェース２３０は、例えば、受信機やトランシーバ、又はコネクタで実現される。通信インターフェース２３０が受信機からなる場合、受信機は、患者状態判定装置１００の通信インターフェース（送信機）１５０から送信された送信波を受信波として受信する。受信機は、受信波を復調して、上記処理結果（判定した点数）を再生する。通信インターフェース２３０がコネクタからなる場合、上記記録媒体からそこに記録されている記録情報（判定した点数と患者ＩＤ）が、コネクタを介して読み出される。
【００４５】
通信インターフェース２３０から、再生された（読み出された）判定した点数は、データ処理装置２１０に供給される。データ処理装置２１０の集計部２１２は、その点数を集計する。集計部２１２は、集計した結果を記憶装置２２０に記憶する。
【００４６】
次に、第１の実施形態の効果について説明する。上述のとおり、本第１の実施形態に係る患者状態判定装置１００は、患者の状態を、医療スタッフがその点数付けに迷うことなく、比較的短い測定時間（判定時間）で、適切に判定することが可能となる。その理由、適切なガイダンスおよび指示を医療スタッフに対して行っているからである。
【００４７】
［患者状態判定装置の動作］
図２は、図１に示した患者状態判定装置１００の動作の流れを示すフローチャートである。以下、図１および図２を参照しつつ、患者状態判定装置１００の動作の流れについて説明する。
【００４８】
まず、指示部１１１は、項目記憶部１２４から項目を読み出して、その項目のガイダンスを、出力装置１４０の受話器および表示装置から提示させる（ステップＳ１０１）。このとき、指示部１１１は、その項目に設定された許容時間を表示装置の表示画面上に提示させてもよい。と同時に、制御部１１８は、時間測定部１１４を起動して、時間測定部１１４に当該指示を開始した開始時刻からの経過時間を測定させる。
【００４９】
引き続いて、指示部１１１は、その項目の質問を、出力装置１４０のイヤホンおよび表示装置を用いて、質問音声および質問テキストデータとして、提示させる（ステップＳ１０２）。
【００５０】
この質問音声および質問テキストデータに応答して、医療スタッフは、入力装置１３０のマイクロホンから回答音声を発声し、または、入力装置１３０のタッチパネルを操作して回答を入力する。反応認識部１１２は、この回答音声信号または回答テキスト信号を認識（確認）し、認識結果（確認結果）を出力する（ステップＳ１０３）。
【００５１】
制御部１１８は、時間測定部１１４で測定された経過時間が上記許容時間を経過しているか否かを判断する（ステップＳ１０４）。経過時間が許容時間を経過していない場合（ステップＳ１０４のＮｏ）、制御部１１８は、質問が項目最後の質問であるか否かを判断する（ステップＳ１０５）。最後の質問でなければ（ステップＳ１０５のＮｏ）、制御部１１８は、指示部１１１に対して次の質問を提示させる（ステップＳ１０２）。最後の質問であれば（ステップＳ１０５のＹｅｓ）、点数判定部１１３は、それまでの認識結果に基づいて、その項目に対する点数を判定し、制御部１１８は次の項目へ移るように指示部１１１を制御する（ステップＳ１０６）。
【００５２】
時間測定部１１４で測定された経過時間が許容時間を経過している場合（ステップＳ１０４のＹｅｓ）、点数判定部１１３は、その時点での質問に対してする反応として高い方の点数を、判定した点数として選択し出力し（ステップＳ１０７）、制御部１１８は次の項目へ移るように指示部１１１を制御する（ステップＳ１０６）。
【００５３】
［第２の実施形態］
図３は、本発明の第２の実施形態に係る患者状態判定システムの構成を示すブロック図である。図３に示すように、患者状態判定システムは、患者状態判定装置１００Ａと、集計装置２００とを備える。
【００５４】
患者状態判定装置１００Ａは、データ処理装置での処理内容と記憶装置の記憶内容とが後述するように相違する点を除いて、図１に示した患者状態判定装置１００と同様の構成を有し、動作をする。したがって、データ処理装置および記憶装置に、それぞれ、１１０Ａおよび１２０Ａの参照符号を付してある。図１に示したものと同様の機能を有するものには同一の参照符号を付して、以下では、説明の簡略化のために相違点についてのみ説明する。
【００５５】
データ処理装置１１０Ａは、指示部１１１および制御部１１８の代わりに、指示部１１１Ａおよび制御部１１８Ａを備えている点を除いて、図１に示したデータ処理装置１１０と同様の処理動作を行う。一方、記憶装置１２０Ａは、点数・時間記録部１２６を更に備えている点を除いて、図１に示した記憶装置１２０と同様の構成を有し、動作をする。すなわち、記憶装置１２０Ａは、プログラム１２２と、項目記憶部１２４と、点数・時間記録部１２６とを備える。
【００５６】
点数・時間記録部１２６は、点数判定部１１３での判定した点数と時間測定部１１４での経過時間とを、指示された項目に紐付けて、記録情報として記録する。換言すれば、制御部１１８Ａは、点数判定部１１３での判定した点数と時間測定部１１４での経過時間とを、指示された項目に紐付けて、記録情報として点数・時間記録部１２６に格納する。なお、記録情報として、スタッフＩＤ（ユーザＩＤ）も記録してもよい。
【００５７】
指示部１１１Ａは、少なくとも前回を含む過去の測定において、点数・時間記録部１２６に記録された記録情報に基づいて、今回の測定で医療スタッフへ指示すべき通知内容を変更する。変更する通知内容は、指示された項目に対して設定された許容時間を含む。すなわち、本第２の実施形態では、項目毎に許容時間を調整している。なお、変更する通知内容は、過去における項目に対して付けられた点数を、質問と併せて出力装置１４０のタッチパネル付き表示装置に表示してもよい。この場合、医療スタッフは、この表示内容をも参考して、反応することが可能となる。その結果、測定時間（判定時間）を短縮することが可能となり、適切な点数付けを行うことも可能となる。
【００５８】
次に、第２の実施形態の効果について説明する。本第２の実施形態に係る患者状態判定装置１００Ａは、上記第１の実施形態の場合よりも、測定時間（判定時間）を短縮して、適切な判定することが可能となることである。その理由、過去での測定結果をフィードバックして、指示部１１１Ａが適切なガイダンスおよび指示を医療スタッフに対して行っているからである。
【００５９】
［第３の実施形態］
図４は、本発明の第３の実施形態に係る患者状態判定システムの構成を示すブロック図である。図４に示すように、患者状態判定システムは、患者状態判定装置１００Ｂと、集計装置２００とを備える。
【００６０】
患者状態判定装置１００Ｂは、データ処理装置での処理内容と記憶装置の記憶内容とが後述するように相違する点を除いて、図３に示した患者状態判定装置１００Ａと同様の構成を有し、動作をする。したがって、データ処理装置および記憶装置に、それぞれ、１１０Ｂおよび１２０Ｂの参照符号を付してある。図３に示したものと同様の機能を有するものには同一の参照符号を付して、以下では、説明の簡略化のために相違点についてのみ説明する。
【００６１】
データ処理装置１１０Ｂは、指示部１１１Ａおよび制御部１１８Ａの代わりに、指示部１１１Ｂおよび制御部１１８Ｂを備えている点を除いて、図３に示したデータ処理装置１１０Ａと同様の処理動作を行う。一方、記憶装置１２０Ｂは、測定状態記録部１２８を更に備えている点を除いて、図３に示した記憶装置１２０Ａと同様の構成を有し、動作をする。すなわち、記憶装置１２０Ｂは、プログラム１２２と、項目記憶部１２４と、点数・時間記録部１２６と、測定状態記録部１２８とを備える。
【００６２】
図示はしないが、上述したように、患者には腕時計型センサやバイタルセンサが取り付けられると共に、その患者を搬送する搬送台（ベッド）や患者を収容する病室には、患者を撮影するカメラが備えられている。測定状態記録部１２８は、これらセンサから得られたデータやカメラで撮影された画像を、測定状態として記録する。換言すれば、制御部１１８Ｂは、それらセンサから得られたバイタルデータやカメラで撮影された画像を、測定状態として測定状態記録部１２８に格納する。
【００６３】
指示部１１１Ｂは、少なくとも前回を含む過去の測定において、点数・時間記録部１２６に記録された記録情報と測定状態記録部１２８に記録された測定状態とに基づいて、今回の測定で医療スタッフへ指示すべき通知内容を変更する。変更する通知内容は、上記第２の実施形態と同様に、指示された項目に対して設定された許容時間を含む。すなわち、本第３の実施形態でも、項目毎に許容時間を調整している。なお、変更する通知内容としては、過去における項目に対して付けられた点数やバイタルデータ及び患者の画像を、質問と併せて出力装置１４０のタッチパネル付き表示装置に表示してもよい。この場合、医療スタッフは、これら表示内容をも参考して、反応することが可能となる。その結果、測定時間（判定時間）をさらに短縮でき、より適切な点数付けを行うことも可能となる。
【００６４】
次に、第３の実施形態の効果について説明する。本第３の実施形態に係る患者状態判定装置１００Ｂは、上記第２の実施形態の場合よりも、測定時間（判定時間）をより短縮して、より適切な判定することが可能となることである。その理由、過去での測定結果や患者の容態をフィードバックして、指示部１１１Ｂが適切なガイダンスおよび指示を医療スタッフに対して行っているからである。
【００６５】
［患者状態判定装置の動作］
図５は、図４に示した患者状態判定装置１００Ｂの動作の流れを示すフローチャートである。以下、図４および図５を参照しつつ、患者状態判定装置１００Ｂの動作の流れについて説明する。
【００６６】
図５のステップＳ１０１〜Ｓ１０６の動作は、図２のステップＳ１０１〜Ｓ１０６と同じであるので、説明を省略する。
【００６７】
最後の質問であって（ステップＳ１０５のＹｅｓ）、点数判定部１１３での点数の判定が終わったか、或いは、時間測定部１１４での経過時間が許容時間を超過して（ステップ１０４のＹｅｓ）、点数判定部１１３での点数の選択（ステップＳ１０７）が終わったとする。その後、制御部１１８Ｂは、点数判定部１１３での判定した点数と時間測定部１１４での経過時間とを、指示された項目に紐付けて、記録情報として点数・時間記録部１２６に格納する（ステップＳ１０８）。
【００６８】
引き続いて、制御部１１８Ｂは、上述したセンサから得られたバイタルデータやカメラで撮影された画像を、測定状態として測定状態記録部１２８に格納する（ステップＳ１０９）。その後、制御部１１８Ｂは次の項目へ移るように指示部１１１Ｂを制御する（ステップＳ１０６）。
【００６９】
次に、図６を参照して、測定開始前に、フィードバックして指示部１１１Ｂで指示すべき通知内容を変更する動作について説明する。
【００７０】
先ず、制御部１１８Ｂは、ユーザＩＤ（スタッフＩＤ）を確認する（ステップＳ２０１）。引き続いて、制御部１１８Ｂは、点数・時間記録部１２６および測定状態記録部１２８からそれぞれ記録情報および測定状態を読み出して、今までの患者の記録状態を確認する（ステップＳ２０２）。制御部１１８Ｂは、この記録状態に基づいて、各項目に設定された許容時間の調整を行う（ステップＳ２０３）。その後、制御部１１８Ｂは、上述したセンサやカメラを起動して、測定状態の記録を開始する（ステップＳ２０４）。そして、制御部１１８Ｂは、最初の項目から測定を開始するように指示部１１１Ｂを制御する（ステップＳ２０５）。
【００７１】
［第４の実施形態］
図７は、本発明の第４の実施形態に係る患者状態判定システムの構成を示すブロック図である。図７に示すように、患者状態判定システムは、患者状態判定装置１００Ｃと、集計装置２００とを備える。
【００７２】
患者状態判定装置１００Ｃは、データ処理装置での処理内容が後述するように相違する点を除いて、図３に示した患者状態判定装置１００Ａと同様の構成を有し、動作をする。したがって、データ処理装置に１１０Ｃの参照符号を付してある。図３に示したものと同様の機能を有するものには同一の参照符号を付して、以下では、説明の簡略化のために相違点についてのみ説明する。
【００７３】
データ処理装置１１０Ｃは、制御部１１８Ａの代わりに制御部１１８Ｃを備え、かつ、類似事例抽出部１１５を更に備えている点を除いて、図３に示したデータ処理装置１１０Ａと同様の処理動作を行う。
【００７４】
患者状態判定装置１００Ｃは、図示しない類似事例データベースと通信可能に接続されている。類似事例データベースは、複数の類似事例を予め保存しているデータベースである。
【００７５】
時間測定部１１４で測定された経過時間が上記許容時間を経過した時点で、医療スタッフから反応が得られなかった場合、類似事例抽出部１１５は、類似事例データベースから当該患者の状態に類似している１つの類似事例を抽出して、抽出した類似事例を医療スタッフへ提示する。
【００７６】
次に、第４の実施形態の効果について説明する。本第４の実施形態に係る患者状態判定装置１００Ｃは、上記第２の実施形態の場合よりも、より適切な判定をすることが可能となることである。その理由、医療スタッフに対して過去での類似事例を提示しているからである。
【００７７】
［患者状態判定装置の動作］
図８は、図７に示した患者状態判定装置１００Ｃの動作の流れを示すフローチャートである。以下、図７および図８を参照しつつ、患者状態判定装置１００Ｃの動作の流れについて説明する。
【００７８】
図８のステップＳ１０１〜Ｓ１０６の動作は、図２のステップＳ１０１〜Ｓ１０６と同じであるので、説明を省略する。図８は、図２のステップＳ１０７の代わりに、ステップＳ１１０およびＳ１１１を有している点で、図２と相違する。
【００７９】
時間測定部１１４で測定された経過時間が許容時間を経過している場合（ステップＳ１０４のＹｅｓ）、類似事例抽出部１１５は、類似事例データベースから当該患者の状態に類似している１つの類似事例を抽出して、抽出した類似事例を、出力装置１４０のタッチパネル付き表示装置へ表示することにより、提示する（ステップＳ１１０）。したがって、医療スタッフは、この表示された類似事例を参考にして、反応することができる。反応認識部１１２は、この医療スタッフからの反応を認識して、認識結果を出力する（ステップＳ１１１）。点数判定部１１３は、この認識結果に基づいて指定された項目に対する点数を判定し、制御部１１８Ｃは次の項目へ移るように指示部１１１Ａを制御する（ステップＳ１０６）。
【実施例】
【００８０】
次に、図９乃至図２２を参照して、本発明の実施例に係る患者状態判定装置について説明する。図示の実施例では、説明の都合上、上述した図１および図２に示した第１の実施形態に係る患者状態判定装置１００に適用した場合について説明する。本実施例は、他の実施形態に係る患者状態判定装置１００Ａ〜１００Ｃにも同様に適用可能であるのは勿論である。【００８１】
図９はＮＩＨＳＳの１３項目を示す図である。これら１３項目は、この技術分野において周知のものであるので、詳しくは説明しない。以下、図１および図２を参照して、ＮＩＨＳＳの１３項目の各々に対して、図１に示した患者状態判定装置１００を使用して、患者の状態を判定する動作について説明する。尚、上述したように、これら１３項目に対する、ガイダンスおよび質問の音声データやテキストデータは、予め項目記憶部１２４に格納されている。以下の図面において、Ｇはガイダンスを示す。また、ガイダンスおよび質問は、上述したように、音声と画像（テキストデータ）との両方で行われる。【００８２】
図１０は、「１ａ．意識水準」の項目に対して、指示部１１１から指示される、ガイダンスおよび質問を示すフローチャートである。【００８３】
まず、図２のステップＳ１０１で、指示部１１１は、出力装置１４０を使用して「患者にさわらずに名前を呼んで下さい」とのガイダンスを提示する。引き続いて、図２のステップＳ１０２で、指示部１１１は、出力装置１４０を使用して「反応はありますか？」との質問を提示する（ステップＳ３０１）。ここで、患者の反応があれば、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ３０１のＹｅｓ）、その認識結果を出力する。【００８４】
この場合、この質問がこの項目の最後の質問になるので（図２のステップＳ１０５のＹｅｓ）、点数判定部１１３は、この認識結果に基づいて、「意識水準」の項目に対する点数を、０点と判定する。その後、次の項目へ移ることになる（図２のステップＳ１０６参照）。【００８５】
一方、上記ステップＳ３０１において、患者の反応がなければ、医療スタッフは、「いいえ」と音声でマイクロホンから回答するか、タッチパネル付き表示装置の表示画面上の「Ｎｏ」のアイコンをタッチする。【００８６】
この場合、この質問がこの項目の最後の質問ではないので（図２のステップＳ１０５のＮｏ）、指示部１１１は、「つぎに、軽く肩をたたいてください」とのガイダンスを提示した（図２のステップＳ１０１）後、「反応はありますか？」との質問を提示する（図２のステップＳ１０２および図１０のステップＳ３０２）。ここで、患者の反応があれば、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ３０２のＹｅｓ）、その認識結果を出力する。【００８７】
この場合、この質問がこの項目の最後の質問になるので（図２のステップＳ１０５のＹｅｓ）、点数判定部１１３は、この認識結果に基づいて、「意識水準」の項目に対する点数を、１点と判定する。その後、次の項目へ移ることになる（図２のステップＳ１０６参照）。【００８８】
一方、上記ステップＳ３０２において、患者の反応がなければ、医療スタッフは、「いいえ」と音声でマイクロホンから回答するか、タッチパネル付き表示装置の表示画面上の「Ｎｏ」のアイコンをタッチする。【００８９】
この場合、この質問がこの項目の最後の質問ではないので（図２のステップＳ１０５のＮｏ）、指示部１１１は、「つぎに、強い刺激を与えて下さい。」とのガイダンスを提示した（図２のステップＳ１０１）後、「反応はありますか？」との質問を提示する（図２のステップＳ１０２および図１０のステップＳ３０３）。ここで、患者の反応があれば、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ３０３のＹｅｓ）、その認識結果を出力する。【００９０】
この場合、この質問がこの項目の最後の質問になるので（図２のステップＳ１０５のＹｅｓ）、点数判定部１１３は、この認識結果に基づいて、「意識水準」の項目に対する点数を、２点と判定する。その後、次の項目へ移ることになる（図２のステップＳ１０６参照）。【００９１】
一方、上記ステップＳ３０２において、患者の反応がなければ、医療スタッフは、「いいえ」と音声でマイクロホンから回答するか、タッチパネル付き表示装置の表示画面上の「Ｎｏ」のアイコンをタッチする。この場合、これがこの項目の最後の質問になるので（図２のステップＳ１０５のＹｅｓ）、点数判定部１１３は、この認識結果に基づいて、「意識水準」の項目に対する点数を、３点と判定する。その後、次の項目へ移ることになる（図２のステップＳ１０６参照）。【００９２】
一方、上記ステップＳ３０３において、医療スタッフが判断に迷ってしまって、経過時間が許容時間を経過したとする（図２のステップＳ１０４のＹｅｓ）。この場合、点数判定部１１３は、この時点での質問に対する医療スタッフの反応として高い方の点数を、判定した点数として選択し出力する（図２のステップＳ１０７）。この例の場合、「Ｎｏ」の反応の方が「Ｙｅｓ」の反応よりも点数が高いので、点数判定部１１３は、「意識水準」の項目に対する点数として、３点を選択し出力する。【００９３】
図１１は、「１ｂ．意識障害−質問」の項目に対して、指示部１１１から指示される、ガイダンスおよび質問を示すフローチャートである。【００９４】
まず、図２のステップＳ１０１で、指示部１１１は、出力装置１４０を使用して「現在何月か、患者様の年齢を聞いてください」とのガイダンスを提示する。引き続いて、図２のステップＳ１０２で、指示部１１１は、出力装置１４０を使用して「いくつ正解していますか？」との質問を提示する（ステップＳ４０１）。ここで、患者の正解が０であれば、医療スタッフは「ゼロ」と音声でマイクロホンから回答するか、タッチパネル付き表示装置の表示画面上の「０」のキーボタンをタッチする。この結果、図２のステップＳ１０３で、反応認識部１１２は、この「ゼロ」の音声か「０」のタッチを認識して（ステップＳ４０１の「０」）、その認識結果を出力する。【００９５】
この場合、この質問がこの項目の最後の質問になるので（図２のステップＳ１０５のＹｅｓ）、点数判定部１１３は、この認識結果に基づいて、「意識障害−質問」の項目に対する点数を、２点と判定する。その後、次の項目へ移ることになる（図２のステップＳ１０６参照）。【００９６】
ステップＳ４０１で、患者の正解が１つであれば、医療スタッフは「一つ」と音声でマイクロホンから回答するか、タッチパネル付き表示装置の表示画面上の「１」のキーボタンをタッチする。この結果、図２のステップＳ１０３で、反応認識部１１２は、この「一つ」の音声か「１」のタッチを認識して（ステップＳ４０１の「１つ」）、その認識結果を出力する。【００９７】
この場合、この質問がこの項目の最後の質問になるので（図２のステップＳ１０５のＹｅｓ）、点数判定部１１３は、この認識結果に基づいて、「意識障害−質問」の項目に対する点数を、１点と判定する。その後、次の項目へ移ることになる（図２のステップＳ１０６参照）。【００９８】
ステップＳ４０１で、患者の正解が２つであれば、医療スタッフは「二つ」と音声でマイクロホンから回答するか、タッチパネル付き表示装置の表示画面上の「２」のキーボタンをタッチする。この結果、図２のステップＳ１０３で、反応認識部１１２は、この「二つ」の音声か「２」のタッチを認識して（ステップＳ４０１の「２つ」）、その認識結果を出力する。【００９９】
この場合、この質問がこの項目の最後の質問になるので（図２のステップＳ１０５のＹｅｓ）、点数判定部１１３は、この認識結果に基づいて、「意識障害−質問」の項目に対する点数を、０点と判定する。その後、次の項目へ移ることになる（図２のステップＳ１０６参照）。【０１００】
一方、上記ステップＳ４０１において、医療スタッフが判断に迷ってしまって、経過時間が許容時間を経過したとする（図２のステップＳ１０４のＹｅｓ）。この場合、点数判定部１１３は、この時点での質問に対する医療スタッフの反応として高い方の点数を、判定した点数として選択し出力する（図２のステップＳ１０７）。この例の場合、「０」の反応の方が「１つ」、「２つ」の反応よりも点数が高いので、点数判定部１１３は、「意識障害−質問」の項目に対する点数として、２点を選択し出力する。【０１０１】
図１２は、「１ｃ．意識障害−従命」の項目に対して、指示部１１１から指示される、ガイダンスおよび質問を示すフローチャートである。【０１０２】
まず、図２のステップＳ１０１で、指示部１１１は、出力装置１４０を使用して「開閉眼と離握手を行ってください。できない場合はほかの動作で置き換えてください。」とのガイダンスを提示する。引き続いて、図２のステップＳ１０２で、指示部１１１は、出力装置１４０を使用して「いくつ動作できていますか？」との質問を提示する（ステップＳ５０１）。ここで、患者の動作が０であれば、医療スタッフは「ゼロ」と音声でマイクロホンから回答するか、タッチパネル付き表示装置の表示画面上の「０」のキーボタンをタッチする。この結果、図２のステップＳ１０３で、反応認識部１１２は、この「ゼロ」の音声か「０」のタッチを認識して（ステップＳ５０１の「０」）、その認識結果を出力する。【０１０３】
この場合、この質問がこの項目の最後の質問になるので（図２のステップＳ１０５のＹｅｓ）、点数判定部１１３は、この認識結果に基づいて、「意識障害−従命」の項目に対する点数を、２点と判定する。その後、次の項目へ移ることになる（図２のステップＳ１０６参照）。【０１０４】
上記ステップＳ５０１で、患者の動作が１つであれば、医療スタッフは「一つ」と音声でマイクロホンから回答するか、タッチパネル付き表示装置の表示画面上の「１」のキーボタンをタッチする。この結果、図２のステップＳ１０３で、反応認識部１１２は、この「一つ」の音声か「１」のタッチを認識して（ステップＳ５０１の「１つ」）、その認識結果を出力する。【０１０５】
この場合、この質問がこの項目の最後の質問になるので（図２のステップＳ１０５のＹｅｓ）、点数判定部１１３は、この認識結果に基づいて、「意識障害−従命」の項目に対する点数を、１点と判定する。その後、次の項目へ移ることになる（図２のステップＳ１０６参照）。【０１０６】
上記ステップＳ５０１で、患者の動作が２つであれば、医療スタッフは「二つ」と音声でマイクロホンから回答するか、タッチパネル付き表示装置の表示画面上の「２」のキーボタンをタッチする。この結果、図２のステップＳ１０３で、反応認識部１１２は、この「二つ」の音声か「２」のタッチを認識して（ステップＳ５０１の「２つ」）、その認識結果を出力する。【０１０７】
この場合、この質問がこの項目の最後の質問になるので（図２のステップＳ１０５のＹｅｓ）、点数判定部１１３は、この認識結果に基づいて、「意識障害−従命」の項目に対する点数を、０点と判定する。その後、次の項目へ移ることになる（図２のステップＳ１０６参照）。【０１０８】
一方、上記ステップＳ５０１において、医療スタッフが判断に迷ってしまって、経過時間が許容時間を経過したとする（図２のステップＳ１０４のＹｅｓ）。この場合、点数判定部１１３は、この時点での質問に対する医療スタッフの反応として高い方の点数を、判定した点数として選択し出力する（図２のステップＳ１０７）。この例の場合、「０」の反応の方が「１つ」、「２つ」の反応よりも点数が高いので、点数判定部１１３は、「意識障害−従命」の項目に対する点数として、２点を選択し出力する。【０１０９】
図１３は、「２．最良の注視」の項目に対して、指示部１１１から指示される、ガイダンスおよび質問を示すフローチャートである。【０１１０】
まず、図２のステップＳ１０１で、指示部１１１は、出力装置１４０を使用して「指で上下左右に目を追わせてください」とのガイダンスを提示する。引き続いて、図２のステップＳ１０２で、指示部１１１は、出力装置１４０を使用して「共同偏視はありますか？」との質問を提示する（ステップＳ６０１）。【０１１１】
ここで、医療スタッフが、「共同偏視がない」と判断したとする（ステップＳ６０１のＮｏ）。この場合には、医療スタッフは、「いいえ」と音声でマイクロホンから回答するか、タッチパネル付き表示装置の表示画面上の「Ｎｏ」のアイコンをタッチする。この結果、図２のステップＳ１０３で、反応認識部１１２は、この「いいえ」の音声か「Ｎｏ」のタッチを認識して（ステップＳ６０１のＮｏ）、その認識結果を出力する。【０１１２】
この場合、この質問がこの項目の最後の質問ではないので（図２のステップＳ１０５のＮｏ）、指示部１１１は、図２のステップＳ１０２に戻って、引き続いて、出力装置１４０を使用して「目で指をまったく追っていませんか？」との質問を提示する（ステップＳ６０２）。【０１１３】
ここで、医療スタッフが、「目で指をまったく追っていない」と判断したとする（ステップＳ６０２のＹｅｓ）。この場合、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ６０２のＹｅｓ）、その認識結果を出力する。【０１１４】
この場合、この質問がこの項目の最後の質問になるので（図２のステップＳ１０５のＹｅｓ）、点数判定部１１３は、この認識結果に基づいて、「最良の注視」の項目に対する点数を、２点と判定する。その後、次の項目へ移ることになる（図２のステップＳ１０６参照）。【０１１５】
一方、上記ステップＳ６０２において、医療スタッフが、「目で指を追っている」と判断したとする（ステップＳ６０２のＮｏ）。この場合、医療スタッフは、「いいえ」と音声でマイクロホンから回答するか、タッチパネル付き表示装置の表示画面上の「Ｎｏ」のアイコンをタッチする。この結果、図２のステップＳ１０３で、反応認識部１１２は、この「いいえ」の音声か「Ｎｏ」のタッチを認識して（ステップＳ６０２のＮｏ）、その認識結果を出力する。【０１１６】
この場合、この質問がこの項目の最後の質問ではないので（図２のステップＳ１０５のＮｏ）、指示部１１１は、図２のステップＳ１０２に戻って、引き続いて、出力装置１４０を使用して「全方向で指を目で追っていますか？」との質問を提示する（ステップＳ６０３）。【０１１７】
ここで、医療スタッフが、「全方向で指を目でまったく追っている」と判断したとする（ステップＳ６０３のＹｅｓ）。この場合、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ６０３のＹｅｓ）、その認識結果を出力する。【０１１８】
この場合、この質問がこの項目の最後の質問になるので（図２のステップＳ１０５のＹｅｓ）、点数判定部１１３は、この認識結果に基づいて、「最良の注視」の項目に対する点数を、０点と判定する。その後、次の項目へ移ることになる（図２のステップＳ１０６参照）。【０１１９】
一方、上記ステップＳ６０３において、医療スタッフが、「全方向で指を目で追っていない」と判断したとする（ステップＳ６０３のＮｏ）。この場合、医療スタッフは、「いいえ」と音声でマイクロホンから回答するか、タッチパネル付き表示装置の表示画面上の「Ｎｏ」のアイコンをタッチすることになる。この結果、図２のステップＳ１０３で、反応認識部１１２は、この「いいえ」の音声か「Ｎｏ」のタッチを認識して（ステップＳ６０３のＹＮｏ）、その認識結果を出力する。【０１２０】
この場合、この質問がこの項目の最後の質問になるので（図２のステップＳ１０５のＹｅｓ）、点数判定部１１３は、この認識結果に基づいて、「最良の注視」の項目に対する点数を、１点と判定する。その後、次の項目へ移ることになる（図２のステップＳ１０６参照）。【０１２１】
上記ステップ６０１で、医療スタッフが、「共同偏視がある」と判断したとする（ステップＳ６０１のＹｅｓ）。この場合には、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ６０１のＹｅｓ）、その認識結果を出力する。【０１２２】
この場合、この質問がこの項目の最後の質問ではないので（図２のステップＳ１０５のＮｏ）、指示部１１１は、図２のステップＳ１０２に戻って、引き続いて、出力装置１４０を使用して「目で指をまったく追っていませんか？」との質問を提示する（ステップＳ６０４）。【０１２３】
ここで、医療スタッフが、「目で指をまったく追っていない」と判断したとする（ステップＳ６０４のＹｅｓ）。この場合、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ６０４のＹｅｓ）、その認識結果を出力する。【０１２４】
この場合、この質問がこの項目の最後の質問になるので（図２のステップＳ１０５のＹｅｓ）、点数判定部１１３は、この認識結果に基づいて、「最良の注視」の項目に対する点数を、２点と判定する。その後、次の項目へ移ることになる（図２のステップＳ１０６参照）。【０１２５】
一方、上記ステップＳ６０４で、医療スタッフが、「目で指を追っている」と判断したとする（ステップＳ６０４のＮｏ）。この場合、医療スタッフは、「いいえ」と音声でマイクロホンから回答するか、タッチパネル付き表示装置の表示画面上の「Ｎｏ」のアイコンをタッチする。この結果、図２のステップＳ１０３で、反応認識部１１２は、この「はい」の音声か「Ｙｅｓ」のタッチを認識して（ステップＳ６０４のＮｏ）、その認識結果を出力する。【０１２６】
この場合、この質問がこの項目の最後の質問になるので（図２のステップＳ１０５のＹｅｓ）、点数判定部１１３は、この認識結果に基づいて、「最良の注視」の項目に対する点数を、１点と判定する。その後、次の項目へ移ることになる（図２のステップＳ１０６参照）。【０１２７】
一方、上記ステップＳ６０３において、医療スタッフが判断に迷ってしまって、経過時間が許容時間を経過したとする（図２のステップＳ１０４のＹｅｓ）。この場合、点数判定部１１３は、この時点での質問に対する医療スタッフの反応として高い方の点数を、判定した点数として選択し出力する（図２のステップＳ１０７）。この例の場合、「Ｎｏ」の反応の方が「Ｙｅｓ」の反応よりも点数が高いので、点数判定部１１３は、「最良の注視」の項目に対する点数として、１点を選択し出力する。【０１２８】
また、上記ステップＳ６０４において、医療スタッフが判断に迷ってしまって、経過時間が許容時間を経過したとする（図２のステップＳ１０４のＹｅｓ）。この場合、点数判定部１１３は、この時点での質問に対する医療スタッフの反応として高い方の点数を、判定した点数として選択し出力する（図２のステップＳ１０７）。この例の場合、「Ｙｅｓ」の反応の方が「Ｎｏ」の反応よりも点数が高いので、点数判定部１１３は、「最良の注視」の項目に対する点数として、２点を選択し出力する。【０１２９】
図１４は、「３．視野」の項目に対して、指示部１１１から指示される、ガイダンスおよび質問と、タッチパネル付き表示装置の表示画面上の表示例とを示すフローチャートである。【０１３０】
まず、図２のステップＳ１０１およびＳ１０２で、指示部１１１は、出力装置１４０を使用して「全盲の場合は“全盲”といってください。左右の目それぞれで視野の欠損を確認して、欠損部をタッチしてください。」とのガイダンスおよび質問を提示する。本項目の場合には、図１４に示されるように、タッチパネル付き表示装置の表示画面上に、左目および右目に対して１〜６の番が記載された画像が表示される。【０１３１】
医療スタッフは患者を観察して、その表示画像の欠損部をタッチする。反応認識部１１２は、このタッチした部分に対応するタッチ信号を認識結果として出力する（図２のステップＳ１０３）。医療スタッフのタッチ操作が終了すると、このタッチ操作がこの項目の最後の質問に相当することになるので（図２のステップＳ１０５のＹｅｓ）、点数判定部１１３は、このタッチ信号（認識結果）に基づいて、自動的に点数を算出して出力する。【０１３２】
一方、医療スタッフが判断に迷ってしまって、経過時間が許容時間を経過したとする（図２のステップＳ１０４のＹｅｓ）。この場合、点数判定部１１３は、この時点での質問に対する医療スタッフの反応として一番高い点数を、判定した点数として選択し出力する（図２のステップＳ１０７）。【０１３３】
図１５は、「４．顔面麻痺」の項目に対して、指示部１１１から指示される、ガイダンスおよび質問を示すフローチャートである。【０１３４】
まず、図２のステップＳ１０１で、指示部１１１は、出力装置１４０を使用して「顔面におでこは入れないでください」とのガイダンスを提示する。引き続いて、図２のステップＳ１０２で、指示部１１１は、出力装置１４０を使用して「麻痺はありませんか？」との質問を提示する（ステップＳ７０１）。ここで、医療スタッフが患者の顔面に麻痺がないと判断したなら、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ７０１のＹｅｓ）、その認識結果を出力する。【０１３５】
この場合、この質問がこの項目の最後の質問になるので（図２のステップＳ１０５のＹｅｓ）、点数判定部１１３は、この認識結果に基づいて、「顔面麻痺」の項目に対する点数を、０点と判定する。その後、次の項目へ移ることになる（図２のステップＳ１０６参照）。【０１３６】
一方、上記ステップＳ７０１において、医療スタッフが患者の顔面に麻痺があると判断したなら、医療スタッフは、「いいえ」と音声でマイクロホンから回答するか、タッチパネル付き表示装置の表示画面上の「Ｎｏ」をタッチする。【０１３７】
この場合、この質問がこの項目の最後の質問ではないので（図２のステップＳ１０５のＮｏ）、指示部１１１は、「顔面が完全に麻痺していますか？」との質問を提示する（図２のステップＳ１０２および図１５のステップＳ７０２）。ここで、医療スタッフが患者の顔面が完全に麻痺していると判断したなら、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ７０２のＹｅｓ）、その認識結果を出力する。【０１３８】
この場合、この質問がこの項目の最後の質問になるので（図２のステップＳ１０５のＹｅｓ）、点数判定部１１３は、この認識結果に基づいて、「顔面麻痺」の項目に対する点数を、３点と判定する。その後、次の項目へ移ることになる（図２のステップＳ１０６参照）。【０１３９】
一方、上記ステップＳ７０２において、医療スタッフが患者の顔面が完全に麻痺してはいないと判断したなら、医療スタッフは、「いいえ」と音声でマイクロホンから回答するか、タッチパネル付き表示装置の表示画面上の「Ｎｏ」をタッチする。【０１４０】
この場合、この質問がこの項目の最後の質問ではないので（図２のステップＳ１０５のＮｏ）、指示部１１１は、「顔面の半分以上麻痺していますか？」との質問を提示する（図２のステップＳ１０２および図１５のステップＳ７０３）。ここで、医療スタッフが患者の顔面の半分以上麻痺していると判断したなら、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ７０３のＹｅｓ）、その認識結果を出力する。【０１４１】
この場合、この質問がこの項目の最後の質問になるので（図２のステップＳ１０５のＹｅｓ）、点数判定部１１３は、この認識結果に基づいて、「顔面麻痺」の項目に対する点数を、２点と判定する。その後、次の項目へ移ることになる（図２のステップＳ１０６参照）。【０１４２】
一方、上記ステップＳ７０３において、医療スタッフが患者の顔面の半分以上麻痺していないと判断したなら、医療スタッフは、「いいえ」と音声でマイクロホンから回答するか、タッチパネル付き表示装置の表示画面上の「Ｎｏ」のアイコンをタッチする。この場合、この質問がこの項目の最後の質問になるので（図２のステップＳ１０５のＹｅｓ）、点数判定部１１３は、この認識結果に基づいて、「顔面麻痺」の項目に対する点数を、１点と判定する。その後、次の項目へ移ることになる（図２のステップＳ１０６参照）。【０１４３】
一方、上記ステップＳ７０３において、医療スタッフが判断に迷ってしまって、経過時間が許容時間を経過したとする（図２のステップＳ１０４のＹｅｓ）。この場合、点数判定部１１３は、この時点での質問に対する医療スタッフの反応として高い方の点数を、判定した点数として選択し出力する（図２のステップＳ１０７）。この例の場合、「Ｙｅｓ」の反応の方が「Ｎｏ」の反応よりも点数が高いので、点数判定部１１３は、「顔面麻痺」の項目に対する点数として、２点を選択し出力する。【０１４４】
この例の場合のように、項目が「顔面麻痺」のような特定の項目の場合、指示部１１１は、まず、この特定の項目に対する複数の質問の最初の方として、医療スタッフが患者の状態を判断するのが容易な質問（この例では「麻痺はありませんか？」）を指示する。そして、指示部１１１は、この特定の項目に対する複数の質問の最後として、医療スタッフが患者の状態を判断するのが困難な質問（この例では「顔面の半分以上麻痺していますか？」）を指示する。【０１４５】
このように提示する質問の順番を選択することによって、本実施例では、より正確な点数付けをすることが可能となる。詳述すると、もしこのような順番で質問をしない場合、医療スタッフは、患者の顔面をみて麻痺があるか否か、麻痺がある場合にはどの程度であるか、を自分で判断しなければならない。このような判断は非常に難しいので、医療スタッフ（特に、経験の浅い医療スタッフ）は判断に迷う場合が多い。その結果、このような状況では、医療スタッフは、一番点数の小さい０点か、一番点数の高い３点のどちらかを選択してしまう場合が多い。その結果、点数の誤差が大きくなってしまう。これに対して、本実施例では、判断するのが容易な質問を最初にして、判断するのが困難な質問を最後にしているので、より正確に点数付けを行うことが可能となる。換言すれば、判断に迷った場合（図２のステップＳ１０４のＹｅｓ）でも、本実施例では、点数としては１点の誤差になるだけである。【０１４６】
図１６は、「５．上肢の運動」の項目に対して、指示部１１１から指示される、ガイダンスおよび質問を示すフローチャートである。【０１４７】
まず、図２のステップＳ１０１で、指示部１１１は、出力装置１４０を使用して「健常肢から行ってください。手首とひじを宙に浮かせてからはじめてください。検査できない場合は、“検査不能”といってください」とガイダンスする。引き続いて、図２のステップＳ１０２で、指示部１１１は、出力装置１４０を使用して「重力に抗しているか？」との質問を提示する（ステップＳ８０１）。【０１４８】
ここで、医療スタッフが、患者の上肢が「重力に抗している」と判断したとする（ステップＳ８０１のＹｅｓ）。この場合には、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ８０１のＮｏ）、その認識結果を出力する。【０１４９】
この場合、この質問がこの項目の最後の質問ではないので（図２のステップＳ１０５のＮｏ）、指示部１１１は、図２のステップＳ１０２に戻って、引き続いて、出力装置１４０を使用して「ベッドに打つように落下するか？」との質問を提示する（ステップＳ８０２）。【０１５０】
ここで、医療スタッフが、患者の上肢が「ベッドに打つように落下している」と判断したとする（ステップＳ８０２のＹｅｓ）。この場合、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ８０２のＹｅｓ）、その認識結果を出力する。【０１５１】
この場合、この質問がこの項目の最後の質問になるので（図２のステップＳ１０５のＹｅｓ）、点数判定部１１３は、この認識結果に基づいて、「上肢の運動」の項目に対する点数を、２点と判定する。その後、次の項目へ移ることになる（図２のステップＳ１０６参照）。【０１５２】
一方、上記ステップＳ８０２において、医療スタッフが、患者の上肢が「ベッドに打つように落下していない」と判断したとする（ステップＳ８０２のＮｏ）。この場合、医療スタッフは、「いいえ」と音声でマイクロホンから回答するか、タッチパネル付き表示装置の表示画面上の「Ｎｏ」のアイコンをタッチする。この結果、図２のステップＳ１０３で、反応認識部１１２は、この「いいえ」の音声か「Ｎｏ」のタッチを認識して（ステップＳ８０２のＮｏ）、その認識結果を出力する。【０１５３】
この場合、この質問がこの項目の最後の質問ではないので（図２のステップＳ１０５のＮｏ）、指示部１１１は、図２のステップＳ１０２に戻って、引き続いて、出力装置１４０を使用して「１０秒保持しているか？」との質問を提示する（ステップＳ８０３）。【０１５４】
ここで、医療スタッフが、患者が上肢を「１０秒保持している」と判断したとする（ステップＳ８０３のＹｅｓ）。この場合、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ８０３のＹｅｓ）、その認識結果を出力する。【０１５５】
この場合、この質問がこの項目の最後の質問になるので（図２のステップＳ１０５のＹｅｓ）、点数判定部１１３は、この認識結果に基づいて、「上肢の運動」の項目に対する点数を、０点と判定する。その後、次の項目へ移ることになる（図２のステップＳ１０６参照）。【０１５６】
一方、上記ステップＳ８０３において、医療スタッフが、患者が上肢を「１０秒保持していない」と判断したとする（ステップＳ８０３のＮｏ）。この場合、医療スタッフは、「いいえ」と音声でマイクロホンから回答するか、タッチパネル付き表示装置の表示画面上の「Ｎｏ」のアイコンをタッチする。この結果、図２のステップＳ１０３で、反応認識部１１２は、この「いいえ」の音声か「Ｎｏ」のタッチを認識して（ステップＳ８０３のＮｏ）、その認識結果を出力する。【０１５７】
この場合、この質問がこの項目の最後の質問になるので（図２のステップＳ１０５のＹｅｓ）、点数判定部１１３は、この認識結果に基づいて、「上肢の運動」の項目に対する点数を、１点と判定する。その後、次の項目へ移ることになる（図２のステップＳ１０６参照）。【０１５８】
上記ステップＳ８０１で、医療スタッフが、患者の上肢が「重力に抗していない」と判断したとする（ステップＳ８０１のＮｏ）。この場合には、医療スタッフは、「いいえ」と音声でマイクロホンから回答するか、タッチパネル付き表示装置の表示画面上の「Ｎｏ」のアイコンをタッチする。この結果、図２のステップＳ１０３で、反応認識部１１２は、この「いいえ」の音声か「Ｎｏ」のタッチを認識して（ステップＳ８０１のＮｏ）、その認識結果を出力する。【０１５９】
この場合、この質問がこの項目の最後の質問ではないので（図２のステップＳ１０５のＮｏ）、指示部１１１は、図２のステップＳ１０２に戻って、引き続いて、出力装置１４０を使用して「まったく動かないか？」との質問を提示する（ステップＳ８０４）。【０１６０】
ここで、医療スタッフが、患者の上肢が「まったく動かない」と判断したとする（ステップＳ８０４のＹｅｓ）。この場合、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ８０４のＹｅｓ）、その認識結果を出力する。【０１６１】
この場合、この質問がこの項目の最後の質問になるので（図２のステップＳ１０５のＹｅｓ）、点数判定部１１３は、この認識結果に基づいて、「上肢の運動」の項目に対する点数を、４点と判定する。その後、次の項目へ移ることになる（図２のステップＳ１０６参照）。【０１６２】
一方、上記ステップＳ８０４で、医療スタッフが、患者の上肢が「まったく動かなくはない」と判断したとする（ステップＳ８０４のＮｏ）。この場合、医療スタッフは、「いいえ」と音声でマイクロホンから回答するか、タッチパネル付き表示装置の表示画面上の「Ｎｏ」のアイコンをタッチする。この結果、図２のステップＳ１０３で、反応認識部１１２は、この「いいえ」の音声か「Ｎｏ」のタッチを認識して（ステップＳ８０４のＮｏ）、その認識結果を出力する。【０１６３】
この場合、この質問がこの項目の最後の質問になるので（図２のステップＳ１０５のＹｅｓ）、点数判定部１１３は、この認識結果に基づいて、「上肢の運動」の項目に対する点数を、３点と判定する。その後、次の項目へ移ることになる（図２のステップＳ１０６参照）。【０１６４】
一方、上記ステップＳ８０３において、医療スタッフが判断に迷ってしまって、経過時間が許容時間を経過したとする（図２のステップＳ１０４のＹｅｓ）。この場合、点数判定部１１３は、この時点での質問に対する医療スタッフの反応として高い方の点数を、判定した点数として選択し出力する（図２のステップＳ１０７）。この例の場合、「Ｎｏ」の反応の方が「Ｙｅｓ」の反応よりも点数が高いので、点数判定部１１３は、「上肢の運動」の項目に対する点数として、１点を選択し出力する。【０１６５】
また、上記ステップＳ８０４において、医療スタッフが判断に迷ってしまって、経過時間が許容時間を経過したとする（図２のステップＳ１０４のＹｅｓ）。この場合、点数判定部１１３は、この時点での質問に対する医療スタッフの反応として高い方の点数を、判定した点数として選択し出力する（図２のステップＳ１０７）。この例の場合、「Ｙｅｓ」の反応の方が「Ｎｏ」の反応よりも点数が高いので、点数判定部１１３は、「上肢の運動」の項目に対する点数として、４点を選択し出力する。【０１６６】
図１７は、「６．下肢の運動」の項目に対して、指示部１１１から指示される、ガイダンスおよび質問を示すフローチャートである。【０１６７】
まず、図２のステップＳ１０１で、指示部１１１は、出力装置１４０を使用して「健常肢から行ってください。手首とひじを宙に浮かせてからはじめてください。検査できない場合は、“検査不能”といってください」とガイダンスする。引き続いて、図２のステップＳ１０２で、指示部１１１は、出力装置１４０を使用して「重力に抗しているか？」との質問を提示する（ステップＳ９０１）。【０１６８】
ここで、医療スタッフが、患者の下肢が「重力に抗している」と判断したとする（ステップＳ９０１のＹｅｓ）。この場合には、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ９０１のＹｅｓ）、その認識結果を出力する。【０１６９】
この場合、この質問がこの項目の最後の質問ではないので（図２のステップＳ１０５のＮｏ）、指示部１１１は、図２のステップＳ１０２に戻って、引き続いて、出力装置１４０を使用して「ベッドに打つように落下するか？」との質問を提示する（ステップＳ９０２）。【０１７０】
ここで、医療スタッフが、患者の下肢が「ベッドに打つように落下している」と判断したとする（ステップＳ９０２のＹｅｓ）。この場合、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ９０２のＹｅｓ）、その認識結果を出力する。【０１７１】
この場合、この質問がこの項目の最後の質問になるので（図２のステップＳ１０５のＹｅｓ）、点数判定部１１３は、この認識結果に基づいて、「下肢の運動」の項目に対する点数を、２点と判定する。その後、次の項目へ移ることになる（図２のステップＳ１０６参照）。【０１７２】
一方、上記ステップＳ９０２において、医療スタッフが、患者の下肢が「ベッドに打つように落下していない」と判断したとする（ステップＳ９０２のＮｏ）。この場合、医療スタッフは、「いいえ」と音声でマイクロホンから回答するか、タッチパネル付き表示装置の表示画面上の「Ｎｏ」のアイコンをタッチする。この結果、図２のステップＳ１０３で、反応認識部１１２は、この「いいえ」の音声か「Ｎｏ」のタッチを認識して（ステップＳ９０２のＮｏ）、その認識結果を出力する。【０１７３】
この場合、この質問がこの項目の最後の質問ではないので（図２のステップＳ１０５のＮｏ）、指示部１１１は、図２のステップＳ１０２に戻って、引き続いて、出力装置１４０を使用して「５秒保持しているか？」との質問を提示する（ステップＳ９０３）。【０１７４】
ここで、医療スタッフが、患者が下肢を「５秒保持している」と判断したとする（ステップＳ９０３のＹｅｓ）。この場合、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ９０３のＹｅｓ）、その認識結果を出力する。【０１７５】
この場合、この質問がこの項目の最後の質問になるので（図２のステップＳ１０５のＹｅｓ）、点数判定部１１３は、この認識結果に基づいて、「下肢の運動」の項目に対する点数を、０点と判定する。その後、次の項目へ移ることになる（図２のステップＳ１０６参照）。【０１７６】
一方、上記ステップＳ９０３において、医療スタッフが、患者が下肢を「５秒保持していない」と判断したとする（ステップＳ９０３のＮｏ）。この場合、医療スタッフは、「いいえ」と音声でマイクロホンから回答するか、タッチパネル付き表示装置の表示画面上の「Ｎｏ」のアイコンをタッチする。この結果、図２のステップＳ１０３で、反応認識部１１２は、この「いいえ」の音声か「Ｎｏ」のタッチを認識して（ステップＳ９０３のＮｏ）、その認識結果を出力する。【０１７７】
この場合、この質問がこの項目の最後の質問になるので（図２のステップＳ１０５のＹｅｓ）、点数判定部１１３は、この認識結果に基づいて、「下肢の運動」の項目に対する点数を、１点と判定する。その後、次の項目へ移ることになる（図２のステップＳ１０６参照）。【０１７８】
上記ステップ９０１で、医療スタッフが、患者の下肢が「重力に抗していない」と判断したとする（ステップＳ９０１のＮｏ）。この場合には、医療スタッフは、「いいえ」と音声でマイクロホンから回答するか、タッチパネル付き表示装置の表示画面上の「Ｎｏ」のアイコンをタッチする。この結果、図２のステップＳ１０３で、反応認識部１１２は、この「いいえ」の音声か「Ｎｏ」のタッチを認識して（ステップＳ９０１のＮｏ）、その認識結果を出力する。【０１７９】
この場合、この質問がこの項目の最後の質問ではないので（図２のステップＳ１０５のＮｏ）、指示部１１１は、図２のステップＳ１０２に戻って、引き続いて、出力装置１４０を使用して「まったく動かないか？」との質問を提示する（ステップＳ９０４）。【０１８０】
ここで、医療スタッフが、患者の下肢が「まったく動かない」と判断したとする（ステップＳ９０４のＹｅｓ）。この場合、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ９０４のＹｅｓ）、その認識結果を出力する。【０１８１】
この場合、この質問がこの項目の最後の質問になるので（図２のステップＳ１０５のＹｅｓ）、点数判定部１１３は、この認識結果に基づいて、「下肢の運動」の項目に対する点数を、４点と判定する。その後、次の項目へ移ることになる（図２のステップＳ１０６参照）。【０１８２】
一方、上記ステップＳ９０４で、医療スタッフが、患者の下肢が「まったく動かなくはない」と判断したとする（ステップＳ９０４のＮｏ）。この場合、医療スタッフは、「いいえ」と音声でマイクロホンから回答するか、タッチパネル付き表示装置の表示画面上の「Ｎｏ」のアイコンをタッチする。この結果、図２のステップＳ１０３で、反応認識部１１２は、この「いいえ」の音声か「Ｎｏ」のタッチを認識して（ステップＳ９０４のＮｏ）、その認識結果を出力する。【０１８３】
この場合、この質問がこの項目の最後の質問になるので（図２のステップＳ１０５のＹｅｓ）、点数判定部１１３は、この認識結果に基づいて、「下肢の運動」の項目に対する点数を、３点と判定する。その後、次の項目へ移ることになる（図２のステップＳ１０６参照）。【０１８４】
一方、上記ステップＳ９０３において、医療スタッフが判断に迷ってしまって、経過時間が許容時間を経過したとする（図２のステップＳ１０４のＹｅｓ）。この場合、点数判定部１１３は、この時点での質問に対する医療スタッフの反応として高い方の点数を、判定した点数として選択し出力する（図２のステップＳ１０７）。この例の場合、「Ｎｏ」の反応の方が「Ｙｅｓ」の反応よりも点数が高いので、点数判定部１１３は、「下肢の運動」の項目に対する点数として、１点を選択し出力する。【０１８５】
また、上記ステップＳ９０４において、医療スタッフが判断に迷ってしまって、経過時間が許容時間を経過したとする（図２のステップＳ１０４のＹｅｓ）。この場合、点数判定部１１３は、この時点での質問に対する医療スタッフの反応として高い方の点数を、判定した点数として選択し出力する（図２のステップＳ１０７）。この例の場合、「Ｙｅｓ」の反応の方が「Ｎｏ」の反応よりも点数が高いので、点数判定部１１３は、「上肢の運動」の項目に対する点数として、４点を選択し出力する。【０１８６】
図１８は、「７．運動失調」の項目に対して、指示部１１１から指示される、ガイダンスおよび質問と、タッチパネル付き表示装置の表示画面上の表示例とを示すフローチャートである。【０１８７】
まず、図２のステップＳ１０１およびＳ１０２で、指示部１１１は、出力装置１４０を使用して「上肢と下肢のテストを左右で行ってくだい。できていない部分をタッチしてください。」とガイダンスし、質問する。本項目の場合には、図１８に示されるように、タッチパネル付き表示装置の表示画面上に、左上肢、左下肢、右上肢、および右下肢に対して、それぞれ、１〜４の番号が記載された画像が表示される。【０１８８】
医療スタッフは患者を観察して、その表示画像のできていない部分をタッチする。反応認識部１１２は、このタッチした部分に対応するタッチ信号を認識結果として出力する（図２のステップＳ１０３）。医療スタッフのタッチ操作が終了すると、このタッチ操作がこの項目の最後の質問に相当することになるので（図２のステップＳ１０５のＹｅｓ）、点数判定部１１３は、このタッチ信号（認識結果）に基づいて、自動的に点数を算出して出力する。【０１８９】
一方、医療スタッフが判断に迷ってしまって、経過時間が許容時間を経過したとする（図２のステップＳ１０４のＹｅｓ）。この場合、点数判定部１１３は、この時点での質問に対する医療スタッフの反応として一番高い点数を、判定した点数として選択し出力する（図２のステップＳ１０７）。【０１９０】
図１９は、「８．感覚」の項目に対して、指示部１１１から指示される、ガイダンスおよび質問を示すフローチャートである。【０１９１】
まず、図２のステップＳ１０１で、指示部１１１は、出力装置１４０を使用して「つまようじで患者様を刺激してくだい」とのガイダンスを提示する。引き続いて、図２のステップＳ１０２で、指示部１１１は、出力装置１４０を使用して「刺したところに全て反応していますか？」との質問を提示する（ステップＳ１００１）。ここで、患者が刺激に対して全て反応していれば、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ１００１のＹｅｓ）、その認識結果を出力する。【０１９２】
この場合、この質問がこの項目の最後の質問になるので（図２のステップＳ１０５のＹｅｓ）、点数判定部１１３は、この認識結果に基づいて、「感覚」の項目に対する点数を、０点と判定する。その後、次の項目へ移ることになる（図２のステップＳ１０６参照）。【０１９３】
一方、上記ステップＳ１００１において、患者が刺激に対して全てに反応しているわけでなければ、医療スタッフは、「いいえ」と音声でマイクロホンから回答するか、タッチパネル付き表示装置の表示画面上の「Ｎｏ」のアイコンをタッチする。【０１９４】
この場合、この質問がこの項目の最後の質問ではないので（図２のステップＳ１０５のＮｏ）、指示部１１１は、「まったく反応がありませんか？」との質問を提示する（図２のステップＳ１０２および図１９のステップＳ１００２）。ここで、刺激に対して患者にまったく反応がなければ、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ１００２のＹｅｓ）、その認識結果を出力する。【０１９５】
この場合、この質問がこの項目の最後の質問になるので（図２のステップＳ１０５のＹｅｓ）、点数判定部１１３は、この認識結果に基づいて、「感覚」の項目に対する点数を、２点と判定する。その後、次の項目へ移ることになる（図２のステップＳ１０６参照）。【０１９６】
一方、上記ステップＳ１００２において、患者にまったく反応がなくはなければ、医療スタッフは、「いいえ」と音声でマイクロホンから回答するか、タッチパネル付き表示装置の表示画面上の「Ｎｏ」のアイコンをタッチする。【０１９７】
この場合、この質問がこの項目の最後の質問になるので（図２のステップＳ１０５のＹｅｓ）、点数判定部１１３は、この認識結果に基づいて、「感覚」の項目に対する点数を、１点と判定する。その後、次の項目へ移ることになる（図２のステップＳ１０６参照）。【０１９８】
一方、上記ステップＳ１００２において、医療スタッフが判断に迷ってしまって、経過時間が許容時間を経過したとする（図２のステップＳ１０４のＹｅｓ）。この場合、点数判定部１１３は、この時点での質問に対する医療スタッフの反応として高い方の点数を、判定した点数として選択し出力する（図２のステップＳ１０７）。この例の場合、「Ｙｅｓ」の反応の方が「Ｎｏ」の反応よりも点数が高いので、点数判定部１１３は、「感覚」の項目に対する点数として、２点を選択し出力する。【０１９９】
図２０は、「９．最良の言語」の項目に対して、指示部１１１から指示される、ガイダンスおよび質問を示すフローチャートである。【０２００】
まず、図２のステップＳ１０１で、指示部１１１は、出力装置１４０を使用して「絵を見せて質問してください。文字を読ませてくだい。」とのガイダンスを提示する。引き続いて、図２のステップＳ１０２で、指示部１１１は、出力装置１４０を使用して「質問に対してまったく反応がありませんか？」との質問を提示する（ステップＳ１１０１）。ここで、質問に対して患者にまったく反応がなければ、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ１１０１のＹｅｓ）、その認識結果を出力する。【０２０１】
この場合、この質問がこの項目の最後の質問になるので（図２のステップＳ１０５のＹｅｓ）、点数判定部１１３は、この認識結果に基づいて、「最良の言語」の項目に対する点数を、３点と判定する。その後、次の項目へ移ることになる（図２のステップＳ１０６参照）。【０２０２】
一方、上記ステップＳ１１０１において、質問に対して患者に反応があれば、医療スタッフは、「いいえ」と音声でマイクロホンから回答するか、タッチパネル付き表示装置の表示画面上の「Ｎｏ」のアイコンをタッチする。【０２０３】
この場合、この質問がこの項目の最後の質問ではないので（図２のステップＳ１０５のＮｏ）、指示部１１１は、「質問に対して問題なく答えていますか？」との質問を提示する（図２のステップＳ１０２および図２０のステップＳ１１０２）。ここで、患者が質問に対して問題なく答えていれば、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ１１０２のＹｅｓ）、その認識結果を出力する。【０２０４】
この場合、この質問がこの項目の最後の質問になるので（図２のステップＳ１０５のＹｅｓ）、点数判定部１１３は、この認識結果に基づいて、「最良の言語」の項目に対する点数を、０点と判定する。その後、次の項目へ移ることになる（図２のステップＳ１０６参照）。【０２０５】
一方、上記ステップＳ１１０２において、患者が質問に対して問題なく答えていなければ、医療スタッフは、「いいえ」と音声でマイクロホンから回答するか、タッチパネル付き表示装置の表示画面上の「Ｎｏ」のアイコンをタッチする。【０２０６】
この場合、この質問がこの項目の最後の質問ではないので（図２のステップＳ１０５のＮｏ）、指示部１１１は、「発した単語が理解できますか？」との質問を提示する（図２のステップＳ１０２および図２０のステップＳ１１０３）。ここで、医療スタッフが、患者が単語を理解できていると判断したなら、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ１１０３のＹｅｓ）、その認識結果を出力する。【０２０７】
この場合、この質問がこの項目の最後の質問になるので（図２のステップＳ１０５のＹｅｓ）、点数判定部１１３は、この認識結果に基づいて、「最良の言語」の項目に対する点数を、１点と判定する。その後、次の項目へ移ることになる（図２のステップＳ１０６参照）。【０２０８】
一方、上記ステップＳ１１０３において、医療スタッフが、患者が単語を理解できていないと判断したなら、医療スタッフは、「いいえ」と音声でマイクロホンから回答するか、タッチパネル付き表示装置の表示画面上の「Ｎｏ」のアイコンをタッチする。この場合、この質問がこの項目の最後の質問になるので（図２のステップＳ１０５のＹｅｓ）、点数判定部１１３は、この認識結果に基づいて、「最良の言語」の項目に対する点数を、２点と判定する。その後、次の項目へ移ることになる（図２のステップＳ１０６参照）。【０２０９】
一方、上記ステップＳ１１０３において、医療スタッフが判断に迷ってしまって、経過時間が許容時間を経過したとする（図２のステップＳ１０４のＹｅｓ）。この場合、点数判定部１１３は、この時点での質問に対する医療スタッフの反応として高い方の点数を、判定した点数として選択し出力する（図２のステップＳ１０７）。この例の場合、「Ｎｏ」の反応の方が「Ｙｅｓ」の反応よりも点数が高いので、点数判定部１１３は、「最良の言語」の項目に対する点数として、２点を選択し出力する。【０２１０】
図２１は、「１０．構音障害」の項目に対して、指示部１１１から指示される、ガイダンスおよび質問を示すフローチャートである。【０２１１】
まず、図２のステップＳ１０１で、指示部１１１は、出力装置１４０を使用して「文字を読ませてください。」とのガイダンスを提示する。引き続いて、図２のステップＳ１０２で、指示部１１１は、出力装置１４０を使用して「文字をすべて問題なく読めていますか？」との質問を提示する（ステップＳ１２０１）。ここで、患者が文字をすべて問題なく読めていれば、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ１２０１のＹｅｓ）、その認識結果を出力する。【０２１２】
この場合、この質問がこの項目の最後の質問になるので（図２のステップＳ１０５のＹｅｓ）、点数判定部１１３は、この認識結果に基づいて、「構音障害」の項目に対する点数を、０点と判定する。その後、次の項目へ移ることになる（図２のステップＳ１０６参照）。【０２１３】
一方、上記ステップＳ１２０１において、患者が文字をすべて問題なく読めてはいなければ、医療スタッフは、「いいえ」と音声でマイクロホンから回答するか、タッチパネル付き表示装置の表示画面上の「Ｎｏ」のアイコンをタッチする。【０２１４】
この場合、この質問がこの項目の最後の質問ではないので（図２のステップＳ１０５のＮｏ）、指示部１１１は、「半分以上発している言語が理解できますか？」との質問を提示する（図２のステップＳ１０２および図２１のステップＳ１２０２）。ここで、医療スタッフが患者の発する言語を理解できていれば、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ１２０２のＹｅｓ）、その認識結果を出力する。【０２１５】
この場合、この質問がこの項目の最後の質問になるので（図２のステップＳ１０５のＹｅｓ）、点数判定部１１３は、この認識結果に基づいて、「構音障害」の項目に対する点数を、１点と判定する。その後、次の項目へ移ることになる（図２のステップＳ１０６参照）。【０２１６】
一方、上記ステップＳ１２０２において、医療スタッフが患者の発する言語を理解できていなければ、医療スタッフは、「いいえ」と音声でマイクロホンから回答するか、タッチパネル付き表示装置の表示画面上の「Ｎｏ」のアイコンをタッチする。【０２１７】
この場合、この質問がこの項目の最後の質問になるので（図２のステップＳ１０５のＹｅｓ）、点数判定部１１３は、この認識結果に基づいて、「構音障害」の項目に対する点数を、２点と判定する。その後、次の項目へ移ることになる（図２のステップＳ１０６参照）。【０２１８】
一方、上記ステップＳ１２０２において、医療スタッフが判断に迷ってしまって、経過時間が許容時間を経過したとする（図２のステップＳ１０４のＹｅｓ）。この場合、点数判定部１１３は、この時点での質問に対する医療スタッフの反応として高い方の点数を、判定した点数として選択し出力する（図２のステップＳ１０７）。この例の場合、「Ｎｏ」の反応の方が「Ｙｅｓ」の反応よりも点数が高いので、点数判定部１１３は、「構音障害」の項目に対する点数として、２点を選択し出力する。【０２１９】
図２２は、「１１．消去現象と注意障害」の項目に対して、指示部１１１から指示される、ガイダンスおよび質問を示すフローチャートである。【０２２０】
まず、図２のステップＳ１０１で、指示部１１１は、出力装置１４０を使用して「麻痺側がある場合は麻痺側に立ってください。」とのガイダンスを提示する。引き続いて、図２のステップＳ１０２で、指示部１１１は、出力装置１４０を使用して「指示に対して問題なくできていますか？」との質問を提示する（ステップＳ１３０１）。ここで、患者が問題なくでてきれば、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ１３０１のＹｅｓ）、その認識結果を出力する。【０２２１】
この場合、この質問がこの項目の最後の質問になるので（図２のステップＳ１０５のＹｅｓ）、点数判定部１１３は、この認識結果に基づいて、「消去現象と注意障害」の項目に対する点数を、０点と判定する。その後、次の項目へ移ることになる（図２のステップＳ１０６参照）。【０２２２】
一方、上記ステップＳ１３０１において、患者が問題なくできていなければ、医療スタッフは、「いいえ」と音声でマイクロホンから回答するか、タッチパネル付き表示装置の表示画面上の「Ｎｏ」のアイコンをタッチする。【０２２３】
この場合、この質問がこの項目の最後の質問ではないので（図２のステップＳ１０５のＮｏ）、指示部１１１は、「真ん中をつかめていますか？」との質問を提示する（図２のステップＳ１０２および図２２のステップＳ１３０２）。ここで、患者が真ん中をつかめていれば、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ１３０２のＹｅｓ）、その認識結果を出力する。【０２２４】
この場合、この質問がこの項目の最後の質問になるので（図２のステップＳ１０５のＹｅｓ）、点数判定部１１３は、この認識結果に基づいて、「消去現象と注意障害」の項目に対する点数を、１点と判定する。その後、次の項目へ移ることになる（図２のステップＳ１０６参照）。【０２２５】
一方、上記ステップＳ１３０２において、患者が真ん中をつかめていなければ、医療スタッフは、「いいえ」と音声でマイクロホンから回答するか、タッチパネル付き表示装置の表示画面上の「Ｎｏ」のアイコンをタッチする。【０２２６】
この場合、この質問がこの項目の最後の質問になるので（図２のステップＳ１０５のＹｅｓ）、点数判定部１１３は、この認識結果に基づいて、「消去現象と注意障害」の項目に対する点数を、２点と判定する。【０２２７】
一方、上記ステップＳ１３０２において、医療スタッフが判断に迷ってしまって、経過時間が許容時間を経過したとする（図２のステップＳ１０４のＹｅｓ）。この場合、点数判定部１１３は、この時点での質問に対する医療スタッフの反応として高い方の点数を、判定した点数として選択し出力する（図２のステップＳ１０７）。この例の場合、「Ｎｏ」の反応の方が「Ｙｅｓ」の反応よりも点数が高いので、点数判定部１１３は、「消去現象と注意障害」の項目に対する点数として、２点を選択し出力する。【０２２８】
上述の患者状態判定装置１００〜１００Ｃは、ハードウエアによって実現してもよいし、ソフトウエアによって実現してもよい。また、患者状態判定装置１００〜１００Ｃは、ハードウエアとソフトウエアの組み合わせによって実現してもよい。【０２２９】
なお、データ処理装置１１０〜１１０Ｃが読み取り可能なプログラム１２２は、コンピュータが読み取り可能な様々な記録媒体に非一時的に格納した状態で、患者状態判定装置１００〜１００Ｃに供給してもよい。このような記録媒体は、例えば、磁気テープ、磁気ディスク、光磁気ディスク、ＣＤ−ＲＯＭ（Compact Disc-Read Only Memory）、ＣＤ−Ｒ（Compact Disc- Recordable）、ＣＤ−ＲＷ（Compact Disc-ReWritable）、半導体メモリである。【０２３０】
以上、本発明の実施形態および実施例について説明したが、本発明は、これらに限られるものではない。例えば、本発明は、これまで説明した実施形態および実施例の一部または全部を適宜組み合わせた形態や、その形態に適宜変更を加えた形態をも含む。【０２３１】
例えば、上記実施形態のいずれも、データ処理装置は、時間計測部を備えているが、本発明ではこれを省いてもよい。この場合、測定時間（判定時間）の問題は残るかも知れないが、点数付けの測定（判定）の判断困惑の問題を解決することは可能である。何故なら、医療スタッフに対して適切なガイダンスと指示とを行っているからである。【０２３２】
また、タッチパネル付き表示装置の表示画面上に「ヘルプ」ボタンを表示するようにしてもよい。この場合、例えば、経験の浅い医療スタッフがこの「ヘルプ」ボタンを押すと、過去において熟練の医療スタッフが点数付けした、過去の類似の患者に対する「判定した点数」が指示された項目と紐付けられた状態で、その表示画面上に表示される。これにより、経験の浅い医療スタッフは、この表示内容を参考にしながら、適切な点数付けをすることが可能となる。【０２３３】
さらに、上記実施形態では、集計装置２００は、単に患者状態判定装置から判定した点数を受けて、その点数を集計しているだけであるが、本発明はそれに限定されない。すなわち、本発明は、集計装置２００の代わりに、医療記録データベースを備えた電子カルテシステムに適用されてもよい。【０２３４】
この場合、患者状態判定装置１００Ａ〜１００Ｃの各々は、記憶装置１２０Ａ、１２０Ｂの点数・時間記録部１２６に記録された記録情報（指定された項目、判定した点数、および経過時間）を患者ＩＤと紐付けて、通信インターフェース１５０を介して無線で電子カルテシステムへ送信する。電子カルテシステムは、受信した記録情報（患者ＩＤが紐付けられている）を、集計結果と共に、医療記録データベースの対応する患者ＩＤの欄に記録（転記）する。【０２３５】
また、通信インターフェース１５０がコネクタから成る場合には、患者状態判定装置１００Ａ〜１００Ｃの各々は、記憶装置１２０Ａ、１２０Ｂの点数・時間記録部１２６に記録された記録情報（指定された項目、判定した点数、および経過時間）を患者ＩＤと紐付けて、コネクタを介して外部の記録媒体に書き込む。そして、電子カルテシステムでは、外部の記録媒体に記録されている情報を、その電子カルテシステムに備えられているコネクタを介して読み込み、読み込んだ情報を、集計結果と共に、医療記録データベースの対応する患者ＩＤの欄に記録（転記）する。【０２３６】
上記の実施形態の一部又は全部は、以下の付記のようにも記載されうるが、以下には限られない。【０２３７】
（付記１）
患者に対して測定すべき複数の項目を、順次、医療スタッフに指示する指示部と、
指示された項目に対する、前記医療スタッフからの反応を認識して、認識結果を出力する反応認識部と、
前記認識結果に基づいて前記指示された項目に対する点数を判定し、判定した点数を出力する点数判定部と、を備え、
前記指示部は、前記複数の項目の各々を、該項目に関連付けられた少なくとも１つの質問の形式で、前記医療スタッフに提示する、ことを特徴とする患者状態判定装置。【０２３８】
（付記２）
前記指示部は、前記指示された項目に対応する前記質問の各々を音声にて前記医療スタッフに知らせる音声通知手段を含むことを特徴とする付記１に記載の患者状態判定装置。【０２３９】
（付記３）
前記反応認識部は、前記反応として前記医療スタッフから発声された回答音声を受け、該回答音声を識別して、識別結果を前記認識結果として出力する音声識別手段を含むことを特徴とする付記１又は２に記載の患者状態判定装置。【０２４０】
（付記４）
前記医療スタッフに対して各項目の指示を開始した開始時刻からの経過時間を測定する時間測定部を更に有する、付記１乃至３のいずれか１つに記載の患者状態判定装置。【０２４１】
（付記５）
前記複数の項目には、それぞれ、許容時間が予め設定されており、
前記経過時間が前記許容時間を超過した時点で、前記医療スタッフから前記反応が得られなかった場合、前記点数判定部は、前記時点での質問に対してする反応として高い方の点数を、前記判定した点数として選択し出力する、付記４に記載の患者状態判定装置。【０２４２】
（付記６）
前記判定した点数と前記経過時間とを、前記指示された項目に紐付けて、記録情報として記録する点数・時間記録部を更に有する、付記４に記載の患者状態判定装置。【０２４３】
（付記７）
少なくとも前回を含む過去の測定において、前記点数・時間記録部に記録された前記記録情報に基づいて、前記指示部は、今回の測定で前記医療スタッフへ指示すべき通知内容を変更する、付記６に記載の患者状態判定装置。【０２４４】
（付記８）
前記変更される通知内容は、前記指示された項目に対して設定された許容時間を含む、付記７に記載の患者状態判定装置。【０２４５】
（付記９）
前記患者の測定状態を記録する測定状態記録部を更に有する、付記６に記載の患者状態判定装置。【０２４６】
（付記１０）
少なくとも前回を含む過去の測定において、前記点数・時間記録部に記録された前記記録情報と前記測定状態記録部に記録された前記測定状態とに基づいて、前記指示部は、今回の測定で前記医療スタッフへ指示すべき通知内容を変更する、付記９に記載の患者状態判定装置。【０２４７】
（付記１１）
前記変更される通知内容は、前記指示された項目に対して設定された許容時間を含む、付記１０に記載の患者状態判定装置。【０２４８】
（付記１２）
前記複数の項目には、それぞれ、許容時間が予め設定されており、
前記経過時間が前記許容時間を超過した時点で、前記医療スタッフから前記反応が得られなかった場合、複数の類似事例を予め保存している類似事例データベースから、前記患者の状態に類似している１つの類似事例を抽出して、抽出した類似事例を前記医療スタッフへ提示する類似事例抽出部を更に備える、付記４に記載の患者状態判定装置。【０２４９】
（付記１３）
前記複数の項目の中の特定の項目に対して複数の質問が存在する場合、
前記指示部は、
前記特定の項目に対する前記複数の質問の最初の方として、前記医療スタッフが前記患者の状態を判断するのが容易な質問を指示し、
前記特定の項目に対する前記複数の質問の最後として、前記医療スタッフが前記患者の状態を判断するのが困難な質問を指示する、
付記１乃至１２のいずれか１つに記載の患者状態判定装置。【０２５０】
（付記１４）
前記複数の項目は、ＮＩＨＳＳ（National Institute of Health Stroke Scale）で規定されている項目から成る、付記１乃至１３のいずれか１つに記載の患者状態判定装置。【０２５１】
（付記１５）
付記１乃至１４のいずれか１つに記載の患者状態判定装置と、
該患者状態判定装置から前記判定した点数を受けて、前記点数を集計する集計装置と、
を含む患者状態判定システム。【０２５２】
（付記１６）
指示部が、患者に対して測定すべき複数の項目を、順次、医療スタッフに指示し、
反応認識部が、指示された項目に対する、前記医療スタッフからの反応を認識して、認識結果を出力し、
点数判定部が、前記認識結果に基づいて前記指示された項目に対する点数を判定し、判定した点数を出力し、
前記指示部は、前記複数の項目の各々を、該項目に関連付けられた少なくとも１つの質問の形式で、前記医療スタッフに提示する、ことを特徴とする患者状態判定方法。【０２５３】
（付記１７）
患者に対して測定すべき複数の項目を、順次、医療スタッフに指示する指示手順と、
指示された項目に対する、前記医療スタッフからの反応を認識して、認識結果を出力する反応認識手順と、
前記認識結果に基づいて前記指示された項目に対する点数を判定し、判定した点数を出力する点数判定手順と、
をコンピュータに実行させる患者状態判定プログラムを記録した記録媒体であって、
前記指示手順は、前記コンピュータに、前記複数の項目の各々を、該項目に関連付けられた少なくとも１つの質問の形式で、前記医療スタッフに提示させる、患者状態判定プログラムを記録した記録媒体。【０２５４】
この出願は、２０１７年１２月８日に出願された日本出願特願２０１７−２３５６８７を基礎とする優先権を主張し、その開示の全てをここに取り込む。
【符号の説明】
【０２５５】
１００、１００Ａ、１００Ｂ、１００Ｃ・・・患者状態判定装置
１１０、１１０Ａ、１１０Ｂ、１１０Ｃ・・・データ処理装置
１１１、１１１Ａ、１１１Ｂ・・・指示部
１１２・・・反応認識部
１１３・・・点数判定部
１１４・・・時間測定部
１１５・・・類似事例抽出部
１１８、１１８Ａ、１１８Ｂ、１１８Ｃ・・・制御部
１２０、１２０Ａ、１２０Ｂ・・・記憶装置
１２２・・・プログラム
１２４・・・項目記憶部
１２６・・・点数・時間記録部
１２８・・・測定状態記録部
１３０・・・入力装置
１４０・・・出力装置
１５０・・・通信インターフェース
２００・・・集計装置
２１０・・・データ処理装置
２１２・・・集計部
２２０・・・記憶装置
２３０・・・通信インターフェース
【図１】
2019111618.tif 000003
【図２】
2019111618.tif 000004
【図３】
2019111618.tif 000005
【図４】
2019111618.tif 000006
【図５】
2019111618.tif 000007
【図６】
2019111618.tif 000008
【図７】
2019111618.tif 000009
【図８】
2019111618.tif 000010
【図９】
2019111618.tif 000011
【図１０】
2019111618.tif 000012
【図１１】
2019111618.tif 000013
【図１２】
2019111618.tif 000014
【図１３】
2019111618.tif 000015
【図１４】
2019111618.tif 000016
【図１５】
2019111618.tif 000017
【図１６】
2019111618.tif 000018
【図１７】
2019111618.tif 000019
【図１８】
2019111618.tif 000020
【図１９】
2019111618.tif 000021
【図２０】
2019111618.tif 000022
【図２１】
2019111618.tif 000023
【図２２】
2019111618.tif 000024
【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
患者に対して測定すべき複数の項目を、順次、医療スタッフに指示する指示部と、
指示された項目に対する、前記医療スタッフからの反応を認識して、認識結果を出力する反応認識部と、
前記認識結果に基づいて前記指示された項目に対する点数を判定し、判定した点数を出力する点数判定部と、を備え、
前記指示部は、前記複数の項目の各々を、該項目に関連付けられた少なくとも１つの質問の形式で、前記医療スタッフに提示する、ことを特徴とする患者状態判定装置。
【請求項２】
前記指示部は、前記指示された項目に対応する前記質問の各々を音声にて前記医療スタッフに知らせる音声通知手段を含むことを特徴とする請求項１に記載の患者状態判定装置。
【請求項３】
前記反応認識部は、前記反応として前記医療スタッフから発声された回答音声を受け、該回答音声を識別して、識別結果を前記認識結果として出力する音声識別手段を含むことを特徴とする請求項１又は２に記載の患者状態判定装置。
【請求項４】
前記医療スタッフに対して各項目の指示を開始した開始時刻からの経過時間を測定する時間測定部を更に有する、請求項１乃至３のいずれか１つに記載の患者状態判定装置。
【請求項５】
前記複数の項目には、それぞれ、許容時間が予め設定されており、
前記経過時間が前記許容時間を超過した時点で、前記医療スタッフから前記反応が得られなかった場合、前記点数判定部は、前記時点での質問に対してする反応として高い方の点数を、前記判定した点数として選択し出力する、請求項４に記載の患者状態判定装置。
【請求項６】
前記判定した点数と前記経過時間とを、前記指示された項目に紐付けて、記録情報として記録する点数・時間記録部を更に有する、請求項４に記載の患者状態判定装置。
【請求項７】
少なくとも前回を含む過去の測定において、前記点数・時間記録部に記録された前記記録情報に基づいて、前記指示部は、今回の測定で前記医療スタッフへ指示すべき通知内容を変更する、請求項６に記載の患者状態判定装置。
【請求項８】
前記変更される通知内容は、前記指示された項目に対して設定された許容時間を含む、請求項７に記載の患者状態判定装置。
【請求項９】
前記患者の測定状態を記録する測定状態記録部を更に有する、請求項６に記載の患者状態判定装置。
【請求項１０】
少なくとも前回を含む過去の測定において、前記点数・時間記録部に記録された前記記録情報と前記測定状態記録部に記録された前記測定状態とに基づいて、前記指示部は、今回の測定で前記医療スタッフへ指示すべき通知内容を変更する、請求項９に記載の患者状態判定装置。
【請求項１１】
前記変更される通知内容は、前記指示された項目に対して設定された許容時間を含む、請求項１０に記載の患者状態判定装置。
【請求項１２】
前記複数の項目には、それぞれ、許容時間が予め設定されており、
前記経過時間が前記許容時間を超過した時点で、前記医療スタッフから前記反応が得られなかった場合、複数の類似事例を予め保存している類似事例データベースから、前記患者の状態に類似している１つの類似事例を抽出して、抽出した類似事例を前記医療スタッフへ提示する類似事例抽出部を更に備える、請求項４に記載の患者状態判定装置。
【請求項１３】
前記複数の項目の中の特定の項目に対して複数の質問が存在する場合、
前記指示部は、
前記特定の項目に対する前記複数の質問の最初の方として、前記医療スタッフが前記患者の状態を判断するのが容易な質問を指示し、
前記特定の項目に対する前記複数の質問の最後として、前記医療スタッフが前記患者の状態を判断するのが困難な質問を指示する、
請求項１乃至１２のいずれか１つに記載の患者状態判定装置。
【請求項１４】
前記複数の項目は、ＮＩＨＳＳ（National Institute of Health Stroke Scale）で規定されている項目から成る、請求項１乃至１３のいずれか１つに記載の患者状態判定装置。
【請求項１５】
請求項１乃至１４のいずれか１つに記載の患者状態判定装置と、
該患者状態判定装置から前記判定した点数を受けて、前記点数を集計する集計装置と、
を含む患者状態判定システム。
【請求項１６】
指示部が、患者に対して測定すべき複数の項目を、順次、医療スタッフに指示し、
反応認識部が、指示された項目に対する、前記医療スタッフからの反応を認識して、認識結果を出力し、
点数判定部が、前記認識結果に基づいて前記指示された項目に対する点数を判定し、判定した点数を出力し、
前記指示部は、前記複数の項目の各々を、該項目に関連付けられた少なくとも１つの質問の形式で、前記医療スタッフに提示する、ことを特徴とする患者状態判定方法。
【請求項１７】
患者に対して測定すべき複数の項目を、順次、医療スタッフに指示する指示手順と、
指示された項目に対する、前記医療スタッフからの反応を認識して、認識結果を出力する反応認識手順と、
前記認識結果に基づいて前記指示された項目に対する点数を判定し、判定した点数を出力する点数判定手順と、
をコンピュータに実行させる患者状態判定プログラムであって、
前記指示手順は、前記コンピュータに、前記複数の項目の各々を、該項目に関連付けられた少なくとも１つの質問の形式で、前記医療スタッフに提示させる、患者状態判定プログラム。
【手続補正３】
【補正対象書類名】明細書
【補正対象項目名】０００１
【補正方法】変更
【補正の内容】
【０００１】
本発明は、患者状態判定装置、患者状態判定システム、患者状態判定方法、および患者状態判定プログラムに関する。
【手続補正４】
【補正対象書類名】明細書
【補正対象項目名】００１６
【補正方法】変更
【補正の内容】
【００１６】
本発明の患者状態判定プログラムは、患者に対して測定すべき複数の項目を、順次、医療スタッフに指示する指示手順と；指示された項目に対する、前記医療スタッフからの反応を認識して、認識結果を出力する反応認識手順と；前記認識結果に基づいて前記指示された項目に対する点数を判定し、判定した点数を出力する点数判定手順と；をコンピュータに実行させる患者状態判定プログラムであって、前記指示手順は、前記コンピュータに、前記複数の項目の各々を、該項目に関連付けられた少なくとも１つの質問の形式で、前記医療スタッフに提示させる。
【手続補正５】
【補正対象書類名】明細書
【補正対象項目名】００１８
【補正方法】変更
【補正の内容】
【００１８】
【図１】本発明の第１の実施形態に係る患者状態判定システムの構成を示すブロック図である。
【図２】図１に示した患者状態判定装置の動作の流れを示すフローチャートである。
【図３】本発明の第２の実施形態に係る患者状態判定システムの構成を示すブロック図である。
【図４】本発明の第３の実施形態に係る患者状態判定システムの構成を示すブロック図である。
【図５】図４に示した患者状態判定装置の動作の流れを示すフローチャートである。
【図６】図４に示した患者状態判定装置において、測定開始前に、フィードバックして指示部で指示すべき通知内容を変更する動作を説明するフローチャートである。
【図７】本発明の第４の実施形態に係る患者状態判定システムの構成を示すブロック図である。
【図８】図７に示した患者状態判定装置の動作の流れを示すフローチャートである。
【図９】ＮＩＨＳＳの１３項目を示す図である。
【図１０】「１ａ．意識水準」の項目に対して、指示部から指示される、ガイダンスおよび質問を示すフローチャートである。
【図１１】「１ｂ．意識障害−質問」の項目に対して、指示部から指示される、ガイダンスおよび質問を示すフローチャートである。
【図１２】「１ｃ．意識障害−従命」の項目に対して、指示部から指示される、ガイダンスおよび質問を示すフローチャートである。
【図１３】「２．最良の注視」の項目に対して、指示部から指示される、ガイダンスおよび質問を示すフローチャートである。
【図１４】「３．視野」の項目に対して、指示部から指示される、ガイダンスと、タッチパネル付き表示装置の表示画面上の表示例とを示すフローチャートである。
【図１５】「４．顔面麻痺」の項目に対して、指示部から指示される、ガイダンスおよび質問を示すフローチャートである。
【図１６】「５．上肢の運動」の項目に対して、指示部から指示される、ガイダンスおよび質問を示すフローチャートである。
【図１７】「６．下肢の運動」の項目に対して、指示部から指示される、ガイダンスおよび質問を示すフローチャートである。
【図１８】「７．運動失調」の項目に対して、指示部から指示される、ガイダンスと、タッチパネル付き表示装置の表示画面上の表示例とを示すフローチャートである。
【図１９】「８．感覚」の項目に対して、指示部から指示される、ガイダンスおよび質問を示すフローチャートである。
【図２０】「９．最良の言語」の項目に対して、指示部から指示される、ガイダンスおよび質問を示すフローチャートである。
【図２１】「１０．講音障害」の項目に対して、指示部から指示される、ガイダンスおよび質問を示すフローチャートである。
【図２２】「１１．消去現象と注意障害」の項目に対して、指示部から指示される、ガイダンスおよび質問を示すフローチャートである。
【手続補正６】
【補正対象書類名】明細書
【補正対象項目名】００３５
【補正方法】変更
【補正の内容】
【００３５】
指示部１１１は、項目記憶部１２４から読み出された音声データを、出力装置１４０のマイク付きイヤホンへ送出する。マイク付きイヤホンのイヤホンは、音声データを質問音声に変換する。したがって、指示部１１１と出力装置１４０のイヤホンとの組み合わせは、複数の項目を、順次、質問音声にて医療スタッフに知らせる音声通知手段として働く。また、項目記憶部１２４と指示部１１１と出力装置１４０のイヤホンとの組み合わせは、患者の状態を測定するために必要な複数の項目を順次、質問音声によって医療スタッフに提示する提示部として作用する。
【手続補正７】
【補正対象書類名】明細書
【補正対象項目名】００３８
【補正方法】変更
【補正の内容】
【００３８】
と同時に、出力装置１４０のタッチパネル付き表示装置に表示された質問テキストデータに応答して、医療スタッフは、それに対する回答（応答）を、入力装置１３０であるタッチパネル付き表示装置のタッチパネルを操作して入力する。ここでは、タッチパネル付き表示装置には、「Ｙｅｓ」および「Ｎｏ」のアイコンが表示されているとする。例えば、タッチパネル付き表示装置に表示された質問テキストデータが「反応はありますか？」であったとする。この場合、医療スタッフは、例えば、タッチパネルの「Ｙｅｓ」のアイコンをタッチして回答（応答）する。タッチパネルは、この「Ｙｅｓ」の回答を示す回答テキスト信号を出力する。したがって、タッチパネル付き表示装置のタッチパネルは、指示された項目に応答して、医療スタッフが回答テキスト信号を入力する入力部として働く。
【手続補正８】
【補正対象書類名】明細書
【補正対象項目名】００４１
【補正方法】変更
【補正の内容】
【００４１】
一方、入力装置１３０から、反応として医療スタッフで操作（タッチ）された回答テキスト信号が、反応認識部１１２に供給されたとする。この場合、反応認識部１１２は、その回答テキスト信号を認識して、認識結果を出力する。例えば、回答テキスト信号が「Ｙｅｓ」を示すテキスト信号であったとする。この場合、反応認識部１１２は、認識結果として「Ｙｅｓ」の結果を出力する。
【手続補正９】
【補正対象書類名】明細書
【補正対象項目名】００４２
【補正方法】変更
【補正の内容】
【００４２】
この認識結果は点数判定部１１３に供給される。点数判定部１１３は、認識結果に基づいて、指示された項目に対する点数を判定する。例えば、指示された項目が「意識レベル」であったとする。この場合、指示部１１１から、出力装置１４０を介して医療スタッフへ、患者に対する処置の指示（ガイダンス）とともに「反応はありますか？」の指示がなされる。点数判定部１１３には、「反応はありますか？」の指示に対応して、反応認識部１１２から「Ｙｅｓ」または「Ｎｏ」の認識結果が供給される。点数判定部１１３は、「Ｙｅｓ」または「Ｎｏ」の認識結果に基づいて、「意識レベル」の項目に対する点数（この場合、０点から３点までの間の点数）を判定する。
【手続補正１０】
【補正対象書類名】明細書
【補正対象項目名】００６２
【補正方法】変更
【補正の内容】
【００６２】
図示はしないが、上述したように、患者には腕時計型センサやバイタルセンサが取り付けられると共に、その患者を搬送する搬送台（ベッド）や患者を収容する病室には、患者を撮影するカメラが備えられている。測定状態記録部１２８は、これらセンサから得られたバイタルデータやカメラで撮影された画像を、測定状態として記録する。換言すれば、制御部１１８Ｂは、それらセンサから得られたバイタルデータやカメラで撮影された画像を、測定状態として測定状態記録部１２８に格納する。
【手続補正１１】
【補正対象書類名】明細書
【補正対象項目名】０１１９
【補正方法】変更
【補正の内容】
【０１１９】
一方、上記ステップＳ６０３において、医療スタッフが、「全方向で指を目で追っていない」と判断したとする（ステップＳ６０３のＮｏ）。この場合、医療スタッフは、「いいえ」と音声でマイクロホンから回答するか、タッチパネル付き表示装置の表示画面上の「Ｎｏ」のアイコンをタッチすることになる。この結果、図２のステップＳ１０３で、反応認識部１１２は、この「いいえ」の音声か「Ｎｏ」のタッチを認識して（ステップＳ６０３のＮｏ）、その認識結果を出力する。
【手続補正１２】
【補正対象書類名】明細書
【補正対象項目名】０１２５
【補正方法】変更
【補正の内容】
【０１２５】
一方、上記ステップＳ６０４で、医療スタッフが、「目で指を追っている」と判断したとする（ステップＳ６０４のＮｏ）。この場合、医療スタッフは、「いいえ」と音声でマイクロホンから回答するか、タッチパネル付き表示装置の表示画面上の「Ｎｏ」のアイコンをタッチする。この結果、図２のステップＳ１０３で、反応認識部１１２は、この「いいえ」の音声か「Ｎｏ」のタッチを認識して（ステップＳ６０４のＮｏ）、その認識結果を出力する。
【手続補正１３】
【補正対象書類名】明細書
【補正対象項目名】０１２９
【補正方法】変更
【補正の内容】
【０１２９】
図１４は、「３．視野」の項目に対して、指示部１１１から指示される、ガイダンスと、タッチパネル付き表示装置の表示画面上の表示例とを示すフローチャートである。
【手続補正１４】
【補正対象書類名】明細書
【補正対象項目名】０１３０
【補正方法】変更
【補正の内容】
【０１３０】
まず、図２のステップＳ１０１およびＳ１０２で、指示部１１１は、出力装置１４０を使用して「全盲の場合は“全盲”といってください。左右の目それぞれで視野の欠損を確認して、欠損部をタッチしてください。」とのガイダンスを提示する。本項目の場合には、図１４に示されるように、タッチパネル付き表示装置の表示画面上に、左目および右目に対して１〜６の番が記載された画像が表示される。
【手続補正１５】
【補正対象書類名】明細書
【補正対象項目名】０１３６
【補正方法】変更
【補正の内容】
【０１３６】
一方、上記ステップＳ７０１において、医療スタッフが患者の顔面に麻痺があると判断したなら、医療スタッフは、「いいえ」と音声でマイクロホンから回答するか、タッチパネル付き表示装置の表示画面上の「Ｎｏ」のアイコンをタッチする。
【手続補正１６】
【補正対象書類名】明細書
【補正対象項目名】０１３９
【補正方法】変更
【補正の内容】
【０１３９】
一方、上記ステップＳ７０２において、医療スタッフが患者の顔面が完全に麻痺してはいないと判断したなら、医療スタッフは、「いいえ」と音声でマイクロホンから回答するか、タッチパネル付き表示装置の表示画面上の「Ｎｏ」のアイコンをタッチする。
【手続補正１７】
【補正対象書類名】明細書
【補正対象項目名】０１６７
【補正方法】変更
【補正の内容】
【０１６７】
まず、図２のステップＳ１０１で、指示部１１１は、出力装置１４０を使用して「健常肢から行ってください。足首とひざを宙に浮かせてからはじめてください。検査できない場合は、“検査不能”といってください」とガイダンスする。引き続いて、図２のステップＳ１０２で、指示部１１１は、出力装置１４０を使用して「重力に抗しているか？」との質問を提示する（ステップＳ９０１）。
【手続補正１８】
【補正対象書類名】明細書
【補正対象項目名】０１８５
【補正方法】変更
【補正の内容】
【０１８５】
また、上記ステップＳ９０４において、医療スタッフが判断に迷ってしまって、経過時間が許容時間を経過したとする（図２のステップＳ１０４のＹｅｓ）。この場合、点数判定部１１３は、この時点での質問に対する医療スタッフの反応として高い方の点数を、判定した点数として選択し出力する（図２のステップＳ１０７）。この例の場合、「Ｙｅｓ」の反応の方が「Ｎｏ」の反応よりも点数が高いので、点数判定部１１３は、「下肢の運動」の項目に対する点数として、４点を選択し出力する。
【手続補正１９】
【補正対象書類名】明細書
【補正対象項目名】０１８６
【補正方法】変更
【補正の内容】
【０１８６】
図１８は、「７．運動失調」の項目に対して、指示部１１１から指示される、ガイダンスと、タッチパネル付き表示装置の表示画面上の表示例とを示すフローチャートである。
【手続補正２０】
【補正対象書類名】明細書
【補正対象項目名】０１８７
【補正方法】変更
【補正の内容】
【０１８７】
まず、図２のステップＳ１０１およびＳ１０２で、指示部１１１は、出力装置１４０を使用して「上肢と下肢のテストを左右で行ってくだい。できていない部分をタッチしてください。」とガイダンスする。本項目の場合には、図１８に示されるように、タッチパネル付き表示装置の表示画面上に、左上肢、左下肢、右上肢、および右下肢に対して、それぞれ、１〜４の番号が記載された画像が表示される。
【手続補正２１】
【補正対象書類名】明細書
【補正対象項目名】０２２０
【補正方法】変更
【補正の内容】
【０２２０】
まず、図２のステップＳ１０１で、指示部１１１は、出力装置１４０を使用して「麻痺がある場合は麻痺側に立ってください。」とのガイダンスを提示する。引き続いて、図２のステップＳ１０２で、指示部１１１は、出力装置１４０を使用して「指示に対して問題なくできていますか？」との質問を提示する（ステップＳ１３０１）。ここで、患者が問題なくでてきれば、医療スタッフは、「はい」と音声でマイクロホンから回答するか、タッチパネル付き表示装置の表示画面上の「Ｙｅｓ」のアイコンをタッチする。この結果、図２のステップＳ１０３で、反応認識部１１２は、この「はい」の音声か「Ｙｅｓ」のタッチを認識して（ステップＳ１３０１のＹｅｓ）、その認識結果を出力する。
【手続補正２２】
【補正対象書類名】明細書
【補正対象項目名】０２５３
【補正方法】変更
【補正の内容】
【０２５３】
（付記１７）
患者に対して測定すべき複数の項目を、順次、医療スタッフに指示する指示手順と、
指示された項目に対する、前記医療スタッフからの反応を認識して、認識結果を出力する反応認識手順と、
前記認識結果に基づいて前記指示された項目に対する点数を判定し、判定した点数を出力する点数判定手順と、
をコンピュータに実行させる患者状態判定プログラムであって、
前記指示手順は、前記コンピュータに、前記複数の項目の各々を、該項目に関連付けられた少なくとも１つの質問の形式で、前記医療スタッフに提示させる、患者状態判定プログラム。
【手続補正２３】
【補正対象書類名】図面
【補正対象項目名】図１７
【補正方法】変更
【補正の内容】
【図１７】
2019111618.tif 000025
【手続補正２４】
【補正対象書類名】図面
【補正対象項目名】図２２
【補正方法】変更
【補正の内容】
【図２２】
2019111618.tif 000026
【国際調査報告】
2019111618.tif 000027
2019111618.tif 000028
2019111618.tif 000029
2019111618.tif 000030